(57)【要約】      （修正有）【課題】上りリンク制御情報（ＰＵＣＣＨ）によるチャネル状態報告を効率的に行う。【解決手段】メモリとメモリに接続されるプロセッサを備え、プロセッサは、チャネル状態情報報告のための（チャネル／干渉）測定を行い、Ｎｔｏｔａｌ個のチャネル状態情報報告のうち最も優先度の高いＮｓｅｌｅｃｔｅｄＣＳＩ個のチャネル状態情報報告をＰＵＣＣＨに多重し、あるスロットにおいてＰＵＣＣＨを送信し、ＮｓｅｌｅｃｔｅｄＣＳＩ個のチャネル状態情報報告は、ＮｓｅｌｅｃｔｅｄＣＳＩ個のチャネル状態情報報告のそれぞれのランク指標が所定の値にセットされることが想定されることに基づき与えられる。【選択図】図１０
2020005175.tif 000002
【特許請求の範囲】
【請求項１】
メモリと前記メモリに接続されるプロセッサを備え、
前記プロセッサは、
チャネル状態情報報告のための（チャネル／干渉）測定を行い、
Ｎｔｏｔａｌ個のチャネル状態情報報告のうち最も優先度の高いＮｓｅｌｅｃｔｅｄＣＳＩ個のチャネル状態情報報告をＰＵＣＣＨに多重し、
あるスロットにおいて前記ＰＵＣＣＨを送信し、
前記ＮｓｅｌｅｃｔｅｄＣＳＩ個のチャネル状態情報報告は、前記ＮｓｅｌｅｃｔｅｄＣＳＩ個のチャネル状態情報報告のそれぞれのランク指標が所定の値にセットされることが想定されることに基づき与えられる
端末装置。
【請求項２】
前記ＰＵＣＣＨに多重される前記ＮｓｅｌｅｃｔｅｄＣＳＩ個のチャネル状態情報報告の第１のビット数ＯＣＳＩ、Ｎは、前記ＮｓｅｌｅｃｔｅｄＣＳＩ個のチャネル状態情報報告のそれぞれに含まれるランク指標の値に基づいて与えられ、
前記ＮｓｅｌｅｃｔｅｄＣＳＩ個のチャネル状態情報報告のそれぞれに含まれるランク指標の値は、前記端末装置によって選択される
請求項１に記載の端末装置。
【請求項３】
前記ＮｓｅｌｅｃｔｅｄＣＳＩ個のチャネル状態情報報告は、第２のビット数ＯＣＳＩ、Ｎ，ｒｅｆに少なくとも基づいて与えられ、
前記第２のビット数ＯＣＳＩ、Ｎ，ｒｅｆは、前記ＮｓｅｌｅｃｔｅｄＣＳＩ個のチャネル状態情報報告のそれぞれのランク指標が所定の値にセットされることが想定されることに基づき与えられる
請求項１に記載の端末装置。
【請求項４】
前記ＮｓｅｌｅｃｔｅｄＣＳＩ個のチャネル状態情報報告のそれぞれのランク指標に対する前記所定の値は、前記ＮｓｅｌｅｃｔｅｄＣＳＩ個のチャネル状態情報報告のそれぞれに対して設定される上位層のパラメータＲａｎｋＲｅｓｔｒｉｃｔｉｏｎに基づき許可されるランク指標のセットのうちの最大値である
請求項１、または、請求項３に記載の端末装置。
【請求項５】
メモリと前記メモリに接続されるプロセッサを備え、
前記プロセッサは、
チャネル状態情報報告のための（チャネル／干渉）測定を端末装置に指示し、
Ｎｔｏｔａｌ個のチャネル状態情報報告のうち最も優先度の高いＮｓｅｌｅｃｔｅｄＣＳＩ個のチャネル状態情報報告が多重されたＰＵＣＣＨを受信し、
前記ＮｓｅｌｅｃｔｅｄＣＳＩ個のチャネル状態情報報告は、前記ＮｓｅｌｅｃｔｅｄＣＳＩ個のチャネル状態情報報告のそれぞれのランク指標が所定の値にセットされることが想定されることに基づき与えられる
基地局装置。
【請求項６】
前記ＰＵＣＣＨに多重される前記ＮｓｅｌｅｃｔｅｄＣＳＩ個のチャネル状態情報報告の第１のビット数ＯＣＳＩ、Ｎは、前記ＮｓｅｌｅｃｔｅｄＣＳＩ個のチャネル状態情報報告のそれぞれに含まれるランク指標の値に基づいて与えられ、
前記ＮｓｅｌｅｃｔｅｄＣＳＩ個のチャネル状態情報報告のそれぞれに含まれるランク指標の値は、前記端末装置によって選択される
請求項５に記載の基地局装置。
【請求項７】
前記ＮｓｅｌｅｃｔｅｄＣＳＩ個のチャネル状態情報報告は、第２のビット数ＯＣＳＩ、Ｎ，ｒｅｆに少なくとも基づいて与えられ、
前記第２のビット数ＯＣＳＩ、Ｎ，ｒｅｆは、前記ＮｓｅｌｅｃｔｅｄＣＳＩ個のチャネル状態情報報告のそれぞれのランク指標が所定の値にセットされることが想定されることに基づき与えられる
請求項５に記載の基地局装置。
【請求項８】
前記ＮｓｅｌｅｃｔｅｄＣＳＩ個のチャネル状態情報報告のそれぞれのランク指標に対する前記所定の値は、前記ＮｓｅｌｅｃｔｅｄＣＳＩ個のチャネル状態情報報告のそれぞれに対して設定される上位層のパラメータＲａｎｋＲｅｓｔｒｉｃｔｉｏｎに基づき許可されるランク指標のセットのうちの最大値である
請求項５、または、請求項７に記載の基地局装置。
【請求項９】
端末装置に用いられる通信方法であって、
チャネル状態情報報告のための（チャネル／干渉）測定を行うステップと、
Ｎｔｏｔａｌ個のチャネル状態情報報告のうち最も優先度の高いＮｓｅｌｅｃｔｅｄＣＳＩ個のチャネル状態情報報告をＰＵＣＣＨに多重するステップと、
あるスロットにおいて前記ＰＵＣＣＨを送信するステップと、を備え、
前記ＮｓｅｌｅｃｔｅｄＣＳＩ個のチャネル状態情報報告は、前記ＮｓｅｌｅｃｔｅｄＣＳＩ個のチャネル状態情報報告のそれぞれのランク指標が所定の値にセットされることが想定されることに基づき与えられる
通信方法。
【請求項１０】
基地局装置に用いられる通信方法であって、
チャネル状態情報報告のための（チャネル／干渉）測定を端末装置に指示するステップと、
Ｎｔｏｔａｌ個のチャネル状態情報報告のうち最も優先度の高いＮｓｅｌｅｃｔｅｄＣＳＩ個のチャネル状態情報報告が多重されたＰＵＣＣＨを受信するステップと、を備え、
前記ＮｓｅｌｅｃｔｅｄＣＳＩ個のチャネル状態情報報告は、前記ＮｓｅｌｅｃｔｅｄＣＳＩ個のチャネル状態情報報告のそれぞれのランク指標が所定の値にセットされることが想定されることに基づき与えられる
通信方法。
【発明の詳細な説明】
【技術分野】
【０００１】
本発明は、端末装置、基地局装置、および、通信方法に関する。
【背景技術】
【０００２】
セルラー移動通信の無線アクセス方式および無線ネットワーク（以下、「Long Term Evolution （LTE）」、または、「ＥＵＴＲＡ：Ｅｖｏｌｖｅｄ  Ｕｎｉｖｅｒｓａｌ  Ｔ
ｅｒｒｅｓｔｒｉａｌ  Ｒａｄｉｏ  Ａｃｃｅｓｓ」と称する。）が、第三世代パートナーシッププロジェクト（3GPP:3rd Generation Partnership Project）において検討され
ている。ＬＴＥにおいて、基地局装置はｅＮｏｄｅＢ（evolved NodeB）、端末装置はＵ
Ｅ（User Equipment）とも呼称される。ＬＴＥは、基地局装置がカバーするエリアをセル状に複数配置するセルラー通信システムである。単一の基地局装置は複数のサービングセルを管理してもよい。
【０００３】
３ＧＰＰでは、国際電気通信連合（ITU:International Telecommunication Union）が
策定する次世代移動通信システムの規格であるＩＭＴ（International Mobile Telecommunication）―２０２０に提案するため、次世代規格（NR: New Radio）の検討が行われて
いる（非特許文献１）。ＮＲは、単一の技術の枠組みにおいて、ｅＭＢＢ（enhanced Mobile BroadBand）、ｍＭＴＣ（massive Machine Type Communication）、ＵＲＬＬＣ（Ultra Reliable and Low Latency Communication）の３つのシナリオを想定した要求を満た
すことが求められている。
【先行技術文献】
【非特許文献】
【０００４】
【非特許文献１】"New SID proposal: Study on New Radio Access Technology"， RP-160671， NTT docomo， 3GPP TSG RAN Meeting #71，Goteborg， Sweden， 7th ― 10th March， 2016．
【発明の概要】
【発明が解決しようとする課題】
【０００５】
本発明は、効率的に通信を行う端末装置、該端末装置に用いられる通信方法、効率的に通信を行う基地局装置、該基地局装置に用いられる通信方法を提供する。
【課題を解決するための手段】
【０００６】
（１）本発明の第１の態様は、端末装置であって、メモリと前記メモリに接続されるプロセッサを備え、前記プロセッサは、チャネル状態情報報告のための（チャネル／干渉）測定を行い、Ｎｔｏｔａｌ個のチャネル状態情報報告のうち最も優先度の高いＮｓｅｌｅｃｔｅｄＣＳＩ個のチャネル状態情報報告をＰＵＣＣＨに多重し、あるスロットにおいて前記ＰＵＣＣＨを送信し、前記ＮｓｅｌｅｃｔｅｄＣＳＩ個のチャネル状態情報報告は、前記ＮｓｅｌｅｃｔｅｄＣＳＩ個のチャネル状態情報報告のそれぞれのランク指標が所定の値にセットされることが想定されることに基づき与えられる。
【０００７】
（２）本発明の第２の態様は、基地局装置であって、メモリと前記メモリに接続されるプロセッサを備え、前記プロセッサは、チャネル状態情報報告のための（チャネル／干渉）測定を端末装置に指示し、Ｎｔｏｔａｌ個のチャネル状態情報報告のうち最も優先度の高いＮｓｅｌｅｃｔｅｄＣＳＩ個のチャネル状態情報報告が多重されたＰＵＣＣＨを受信し、前記ＮｓｅｌｅｃｔｅｄＣＳＩ個のチャネル状態情報報告は、前記ＮｓｅｌｅｃｔｅｄＣＳＩ個のチャネル状態情報報告のそれぞれのランク指標が所定の値にセットされるこ
とが想定されることに基づき与えられる。
【０００８】
（３）本発明の第３の態様は、端末装置に用いられる通信方法であって、チャネル状態情報報告のための（チャネル／干渉）測定を行うステップと、Ｎｔｏｔａｌ個のチャネル状態情報報告のうち最も優先度の高いＮｓｅｌｅｃｔｅｄＣＳＩ個のチャネル状態情報報告をＰＵＣＣＨに多重するステップと、あるスロットにおいて前記ＰＵＣＣＨを送信するステップと、を備え、前記ＮｓｅｌｅｃｔｅｄＣＳＩ個のチャネル状態情報報告は、前記ＮｓｅｌｅｃｔｅｄＣＳＩ個のチャネル状態情報報告のそれぞれのランク指標が所定の値にセットされることが想定されることに基づき与えられる。
【０００９】
（４）本発明の第４の態様は、基地局装置に用いられる通信方法であって、チャネル状態情報報告のための（チャネル／干渉）測定を端末装置に指示するステップと、Ｎｔｏｔａｌ個のチャネル状態情報報告のうち最も優先度の高いＮｓｅｌｅｃｔｅｄＣＳＩ個のチャネル状態情報報告が多重されたＰＵＣＣＨを受信するステップと、を備え、前記ＮｓｅｌｅｃｔｅｄＣＳＩ個のチャネル状態情報報告は、前記ＮｓｅｌｅｃｔｅｄＣＳＩ個のチャネル状態情報報告のそれぞれのランク指標が所定の値にセットされることが想定されることに基づき与えられる。
【発明の効果】
【００１０】
この発明によれば、端末装置は効率的に通信を行うことができる。また、基地局装置は効率的に通信を行うことができる。
【図面の簡単な説明】
【００１１】
【図１】本実施形態の一態様に係る無線通信システムの概念図である。
【図２】本実施形態の一態様に係るＮｓｌｏｔｓｙｍｂ、サブキャリア間隔の設定μ、および、ＣＰ設定の関係を示す一例である。
【図３】本実施形態の一態様に係るサブフレームにおけるリソースグリッドの一例を示す概略図である。
【図４】本実施形態の一態様に係るＰＵＣＣＨフォーマットとＰＵＣＣＨフォーマットの長さＮＰＵＣＣＨｓｙｍｂの関係の一例を示す図である。
【図５】本実施形態の一態様に係る端末装置１の構成を示す概略ブロック図である。
【図６】本実施形態の一態様に係る基地局装置３の構成を示す概略ブロック図である。
【図７】本実施形態の一態様に係るＰＵＣＣＨリソースの設定の一例を示す図である。
【図８】本実施形態の一態様に係るトランスポートブロックの受信および該トランスポートブロックに対応するＨＡＲＱ−ＡＣＫ情報の送信の一例を示す図である。
【図９】本実施形態の一態様に係るトランスポートブロックの受信および該トランスポートブロックに対応するＨＡＲＱ−ＡＣＫ情報、および、ＳＲの送信の一例を示す図である。
【図１０】本実施形態の一態様に係るトランスポートブロックの受信および該トランスポートブロックに対応するＨＡＲＱ−ＡＣＫ情報、ＳＲ、および、チャネル状態情報報告の送信の一例を示す図である。
【図１１】本発明の実施形態の一態様に係る複数のチャネル状態情報報告の多重に関する一例である。
【図１２】本実施形態の一態様に係る上位層のパラメータＭｕｌｔｉ−ＣＳＩ−ＰＵＣＣＨ−ＲｅｓｏｕｒｃｅＬｉｓｔに含まれるＰＵＣＣＨリソースの設定例を示す図である。
【図１３】本実施形態の一態様に係るトランスポートブロックの受信および該トランスポートブロックに対応するＨＡＲＱ−ＡＣＫ情報、ＳＲ、および、チャネル状態情報の送信の一例を示す図である。
【図１４】本実施形態の一態様に係るトランスポートブロックの受信および該トランスポートブロックに対応するＨＡＲＱ−ＡＣＫ情報、ＳＲ、および、チャネル状態情報の送信の一例を示す図である。
【発明を実施するための形態】
【００１２】
以下、本発明の実施形態について説明する。
【００１３】
図１は、本実施形態の一態様に係る無線通信システムの概念図である。図１において、無線通信システムは、端末装置１Ａ〜１Ｃ、および基地局装置３を具備する。以下、端末装置１Ａ〜１Ｃを端末装置１とも呼称する。
【００１４】
以下、フレーム構成について説明する。
【００１５】
本実施形態の一態様に係る無線通信システムにおいて、ＯＦＤＭ（Orthogonal Frequency Division Multiplex）が少なくとも用いられる。ＯＦＤＭシンボルは、ＯＦＤＭの時
間領域の単位である。ＯＦＤＭシンボルは、少なくとも１または複数のサブキャリア（subcarrier）を含む。ＯＦＤＭシンボルは、ベースバンド信号生成において時間連続信号（time―continuous signal）に変換される。下りリンクにおいて、ＣＰ−ＯＦＤＭ（Cyclic Prefix ― Orthogonal Frequency Division Multiplex）が少なくとも用いられる。上
りリンクにおいて、ＣＰ−ＯＦＤＭ、または、ＤＦＴ−ｓ−ＯＦＤＭ（Discrete Fourier
Transform ― spread ―Orthogonal Frequency Division Multiplex）のいずれかが用いられる。ＤＦＴ−ｓ−ＯＦＤＭは、ＣＰ−ＯＦＤＭに対して変形プレコーディング（Transform precoding）が適用されることで与えられてもよい。
【００１６】
サブキャリア間隔（SCS: SubCarrier Spacing）は、サブキャリア間隔Δｆ＝２μ・１
５ｋＨｚによって与えられてもよい。例えば、サブキャリア間隔の設定（subcarrier spacing configuration）μは０、１、２、３、４、および／または、５のいずれかに設定されてもよい。あるＢＷＰ（BandWidth Part）のために、サブキャリア間隔の設定μが上位層のパラメータにより与えられてもよい。
【００１７】
本実施形態の一態様に係る無線通信システムにおいて、時間領域の長さの表現のために時間単位（タイムユニット）Ｔｃが用いられる。時間単位Ｔｃは、Ｔｃ＝１／（Δｆｍａｘ・Ｎｆ）で与えられてもよい。Δｆｍａｘは、本実施形態の一態様に係る無線通信システムにおいてサポートされるサブキャリア間隔の最大値であってもよい。Δｆｍａｘは、Δｆｍａｘ＝４８０ｋＨｚであってもよい。Ｎｆは、Ｎｆ＝４０９６であってもよい。定数κは、κ＝Δｆｍａｘ・Ｎｆ／（ΔｆｒｅｆＮｆ，ｒｅｆ）＝６４である。Δｆｒｅｆは、１５ｋＨｚであってもよい。Ｎｆ，ｒｅｆは、２０４８であってもよい。
【００１８】
定数κは、参照サブキャリア間隔とＴｃの関係を示す値であってもよい。定数κはサブフレームの長さのために用いられてもよい。定数κに少なくとも基づき、サブフレームに含まれるスロットの数が与えられてもよい。Δｆｒｅｆは、参照サブキャリア間隔であり、Ｎｆ，ｒｅｆは、参照サブキャリア間隔に対応する値である。
【００１９】
下りリンクにおける信号の送信、および／または、上りリンクにおける信号の送信は、１０ｍｓのフレームにより構成される。フレームは、１０個のサブフレームを含んで構成される。サブフレームの長さは１ｍｓである。フレームの長さは、サブキャリア間隔Δｆに関わらず与えられてもよい。つまり、フレームの設定はμに関わらず与えられてもよい。サブフレームの長さは、サブキャリア間隔Δｆに関わらず与えられてもよい。つまり、サブフレームの設定はμに関わらず与えられてもよい。
【００２０】
あるサブキャリア間隔の設定μのために、サブフレームに含まれるスロットの数とインデックスが与えられてもよい。例えば、スロット番号ｎμｓは、サブフレームにおいて０からＮｓｕｂｆｒａｍｅ，μｓｌｏｔ−１の範囲で昇順に与えられてもよい。サブキャリア間隔の設定μのために、フレームに含まれるスロットの数とインデックスが与えられてもよい。また、スロット番号ｎμｓ，ｆは、フレームにおいて０からＮｆｒａｍｅ，μｓｌｏｔ−１の範囲で昇順に与えられてもよい。連続するＮｓｌｏｔｓｙｍｂ個のＯＦＤＭシンボルが１つのスロットに含まれてもよい。Ｎｓｌｏｔｓｙｍｂは、および／または、ＣＰ（Cyclic Prefix）設定の一部または全部に少なくとも基づき与えられてもよい。Ｃ
Ｐ設定は、上位層のパラメータに少なくとも基づき与えられてもよい。ＣＰ設定は、専用ＲＲＣシグナリングに少なくとも基づき与えられてもよい。スロット番号は、スロットインデックスとも呼称される。
【００２１】
図２は、本実施形態の一態様に係るＮｓｌｏｔｓｙｍｂ、サブキャリア間隔の設定μ、および、ＣＰ設定の関係を示す一例である。図２Ａにおいて、例えば、サブキャリア間隔の設定μが２であり、ＣＰ設定がノーマルＣＰ（normal cyclic prefix）である場合、Ｎｓｌｏｔｓｙｍｂ＝１４、Ｎｆｒａｍｅ，μｓｌｏｔ＝４０、Ｎｓｕｂｆｒａｍｅ，μｓｌｏｔ＝４である。また、図２Ｂにおいて、例えば、サブキャリア間隔の設定μが２であり、ＣＰ設定が拡張ＣＰ（extended cyclic prefix）である場合、Ｎｓｌｏｔｓｙｍｂ＝１２、Ｎｆｒａｍｅ，μｓｌｏｔ＝４０、Ｎｓｕｂｆｒａｍｅ，μｓｌｏｔ＝４である。
【００２２】
以下、物理リソースについて説明を行う。
【００２３】
アンテナポートは、１つのアンテナポートにおいてシンボルが伝達されるチャネルが、同一のアンテナポートにおいてその他のシンボルが伝達されるチャネルから推定できることによって定義される。１つのアンテナポートにおいてシンボルが伝達されるチャネルの大規模特性（large scale property）が、もう一つのアンテナポートにおいてシンボルが伝達されるチャネルから推定できる場合、２つのアンテナポートはＱＣＬ（Quasi Co-Located）であると呼称される。大規模特性は、チャネルの長区間特性を少なくとも含んでもよい。大規模特性は、遅延拡がり（delay spread）、ドップラー拡がり（Doppler spread）、ドップラーシフト（Doppler shift）、平均利得（average gain）、平均遅延（average delay）、および、ビームパラメータ（spatial Rx parameters）の一部または全部を
少なくとも含んでもよい。第１のアンテナポートと第２のアンテナポートがビームパラメータに関してＱＣＬであるとは、第１のアンテナポートに対して受信側が想定する受信ビームと第２のアンテナポートに対して受信側が想定する受信ビームとが同一であることであってもよい。第１のアンテナポートと第２のアンテナポートがビームパラメータに関してＱＣＬであるとは、第１のアンテナポートに対して受信側が想定する送信ビームと第２のアンテナポートに対して受信側が想定する送信ビームとが同一であることであってもよい。端末装置１は、１つのアンテナポートにおいてシンボルが伝達されるチャネルの大規模特性が、もう一つのアンテナポートにおいてシンボルが伝達されるチャネルから推定できる場合、２つのアンテナポートはＱＣＬであることが想定されてもよい。２つのアンテナポートがＱＣＬであることは、２つのアンテナポートがＱＣＬであることが想定されることであってもよい。
【００２４】
サブキャリア間隔の設定とキャリアのセットのために、Ｎｓｉｚｅ，μｇｒｉｄ，ｘＮＲＢｓｃ個のサブキャリアとＮｓｕｂｆｒａｍｅ，μｓｙｍｂ個のＯＦＤＭシンボルで定義されるリソースグリッドが与えられる。Ｎｓｉｚｅ，μｇｒｉｄ，ｘは、キャリアｘのためのサブキャリア間隔の設定μのために与えられるリソースブロック数を示してもよい。Ｎｓｉｚｅ，μｇｒｉｄ，ｘは、キャリアの帯域幅を示してもよい。Ｎｓｉｚｅ，μｇｒｉｄ，ｘは、上位層のパラメータＣａｒｒｉｅｒＢａｎｄｗｉｄｔｈの値に対応しても
よい。キャリアｘは下りリンクキャリアまたは上りリンクキャリアのいずれかを示してもよい。つまり、ｘは“ＤＬ”、または、“ＵＬ”のいずれかであってもよい。ＮＲＢｓｃは、１つのリソースブロックに含まれるサブキャリア数を示してもよい。ＮＲＢｓｃは１２であってもよい。アンテナポートｐごとに、および／または、サブキャリア間隔の設定μごとに、および／または、送信方向（Transmission direction）の設定ごとに少なくとも１つのリソースグリッドが与えられてもよい。送信方向は、少なくとも下りリンク（DL: DownLink）および上りリンク（UL: UpLink）を含む。以下、アンテナポートｐ、サブキャリア間隔の設定μ、および、送信方向の設定の一部または全部を少なくとも含むパラメータのセットは、第１の無線パラメータセットとも呼称される。つまり、リソースグリッドは、第１の無線パラメータセットごとに１つ与えられてもよい。
【００２５】
下りリンクにおいて、サービングセルに含まれるキャリアを下りリンクキャリア（または、下りリンクコンポーネントキャリア）と称する。上りリンクにおいて、サービングセルに含まれるキャリアを上りリンクキャリア（上りリンクコンポーネントキャリア）と称する。下りリンクコンポーネントキャリア、および、上りリンクコンポーネントキャリアを総称して、コンポーネントキャリア（または、キャリア）と称する。
【００２６】
第１の無線パラメータセットごとに与えられるリソースグリッドの中の各要素は、リソースエレメントと呼称される。リソースエレメントは周波数領域のインデックスｋｓｃと、時間領域のインデックスｌｓｙｍにより特定される。ある第１の無線パラメータセットのために、リソースエレメントは周波数領域のインデックスｋｓｃと、時間領域のインデックスｌｓｙｍにより特定される。周波数領域のインデックスｋｓｃと時間領域のインデックスｌｓｙｍにより特定されるリソースエレメントは、リソースエレメント（ｋｓｃ、ｌｓｙｍ）とも呼称される。周波数領域のインデックスｋｓｃは、０からＮμＲＢＮＲＢｓｃ−１のいずれかの値を示す。ＮμＲＢはサブキャリア間隔の設定μのために与えられるリソースブロック数であってもよい。ＮμＲＢは、Ｎｓｉｚｅ，μｇｒｉｄ，ｘであってもよい。ＮＲＢｓｃは、リソースブロックに含まれるサブキャリア数であり、ＮＲＢｓｃ＝１２である。周波数領域のインデックスｋｓｃは、サブキャリアインデックスｋｓｃに対応してもよい。時間領域のインデックスｌｓｙｍは、ＯＦＤＭシンボルインデックスｌｓｙｍに対応してもよい。
【００２７】
図３は、本実施形態の一態様に係るサブフレームにおけるリソースグリッドの一例を示す概略図である。図３のリソースグリッドにおいて、横軸は時間領域のインデックスｌｓｙｍであり、縦軸は周波数領域のインデックスｋｓｃである。１つのサブフレームにおいて、リソースグリッドの周波数領域はＮμＲＢＮＲＢｓｃ個のサブキャリアを含む。１つのサブフレームにおいて、リソースグリッドの時間領域は１４・２μ個のＯＦＤＭシンボルを含んでもよい。１つのリソースブロックは、ＮＲＢｓｃ個のサブキャリアを含んで構成される。リソースブロックの時間領域は、１ＯＦＤＭシンボルに対応してもよい。リソースブロックの時間領域は、１４ＯＦＤＭシンボルに対応してもよい。リソースブロックの時間領域は、１または複数のスロットに対応してもよい。リソースブロックの時間領域は、１つのサブフレームに対応してもよい。
【００２８】
端末装置１は、リソースグリッドのサブセットのみを用いて送受信を行うことが指示されてもよい。リソースグリッドのサブセットは、ＢＷＰとも呼称され、ＢＷＰは上位層のパラメータ、および／または、ＤＣＩの一部または全部に少なくとも基づき与えられてもよい。ＢＷＰをキャリアバンドパート（Carrier Bandwidth Part）とも称する。端末装置１は、リソースグリッドのすべてのセットを用いて送受信を行なうことが指示されなくてもよい。端末装置１は、リソースグリッド内の一部の周波数リソースを用いて送受信を行なうことが指示されてもよい。１つのＢＷＰは、周波数領域における複数のリソースブロックから構成されてもよい。１つのＢＷＰは、周波数領域において連続する複数のリソー
スブロックから構成されてもよい。下りリンクキャリアに対して設定されるＢＷＰは、下りリンクＢＷＰとも呼称される。上りリンクキャリアに対して設定されるＢＷＰは、上りリンクＢＷＰとも呼称される。
【００２９】
サービングセルのそれぞれに対して１または複数の下りリンクＢＷＰが設定されてもよい。サービングセルのそれぞれに対して１または複数の上りリンクキャリアバンドパートが設定されてもよい。
【００３０】
上位層のパラメータは、上位層の信号に含まれるパラメータである。上位層の信号は、ＲＲＣ（Radio Resource Control）シグナリングであってもよいし、ＭＡＣ  ＣＥ（Medium Access Control Control Element）であってもよい。ここで、上位層の信号は、ＲＲ
Ｃ層の信号であってもよいし、ＭＡＣ層の信号であってもよい。
【００３１】
上位層の信号は、共通ＲＲＣシグナリング（common RRC signaling）であってもよい。共通ＲＲＣシグナリングは、以下の特徴Ｃ１から特徴Ｃ３の一部または全部を少なくとも備えてもよい。
特徴Ｃ１）ＢＣＣＨロジカルチャネル、または、ＣＣＣＨロジカルチャネルにマップされる
特徴Ｃ２）ＲｅｃｏｎｆｉｇｒａｔｉｏｎＷｉｔｈＳｙｎｃ情報要素を少なくとも含む
特徴Ｃ３）ＰＢＣＨにマップされる
【００３２】
ＲｅｃｏｎｆｉｇｒａｔｉｏｎＷｉｔｈＳｙｎｃ情報要素は、サービングセルにおいて共通に用いられる設定を示す情報を含んでもよい。サービングセルにおいて共通に用いられる設定は、ＰＲＡＣＨの設定を少なくとも含んでもよい。該ＰＲＡＣＨの設定は、１または複数のランダムアクセスプリアンブルインデックスを少なくとも示してもよい。該ＰＲＡＣＨの設定は、ＰＲＡＣＨの時間／周波数リソースを少なくとも示してもよい。
【００３３】
共通ＲＲＣシグナリングは、共通ＲＲＣパラメータを少なくとも含んでもよい。共通ＲＲＣパラメータは、サービングセル内において共通に用いられる（Cell-specific）パラ
メータであってもよい。
【００３４】
上位層の信号は、専用ＲＲＣシグナリング（dedicated RRC signaling）であってもよ
い。専用ＲＲＣシグナリングは、以下の特徴Ｄ１からＤ２の一部または全部を少なくとも備えてもよい。
特徴Ｄ１）ＤＣＣＨロジカルチャネルにマップされる
特徴Ｄ２）ＲｅｃｏｎｆｉｇｒａｔｉｏｎＷｉｔｈＳｙｎｃ情報要素を含まない
【００３５】
例えば、ＭＩＢ（Master Information Block）、および、ＳＩＢ（System Information
Block）は共通ＲＲＣシグナリングに含まれてもよい。また、ＤＣＣＨロジカルチャネルにマップされ、かつ、ＲｅｃｏｎｆｉｇｒａｔｉｏｎＷｉｔｈＳｙｎｃ情報要素を少なくとも含む上位層のメッセージは、共通ＲＲＣシグナリングに含まれてもよい。また、ＤＣＣＨロジカルチャネルにマップされ、かつ、ＲｅｃｏｎｆｉｇｒａｔｉｏｎＷｉｔｈＳｙｎｃ情報要素を含まない上位層のメッセージは、専用ＲＲＣシグナリングに含まれてもよい。
【００３６】
ＳＩＢは、ＳＳ（Synchronization Signal）ブロックの時間インデックスを少なくとも示してもよい。ＳＳブロック（SS block）は、ＳＳ／ＰＢＣＨブロック（SS/PBCH block
）とも呼称される。ＳＩＢは、ＰＲＡＣＨリソースに関連する情報を少なくとも含んでもよい。ＳＩＢは、初期接続の設定に関連する情報を少なくとも含んでもよい。
【００３７】
ＲｅｃｏｎｆｉｇｒａｔｉｏｎＷｉｔｈＳｙｎｃ情報要素は、ＰＲＡＣＨリソースに関連する情報を少なくとも含んでもよい。ＲｅｃｏｎｆｉｇｒａｔｉｏｎＷｉｔｈＳｙｎｃ情報要素は、初期接続の設定に関連する情報を少なくとも含んでもよい。
【００３８】
専用ＲＲＣシグナリングは、専用ＲＲＣパラメータを少なくとも含んでもよい。専用ＲＲＣパラメータは、端末装置１に専用に用いられる（UE-specific）パラメータであって
もよい。専用ＲＲＣシグナリングは、共通ＲＲＣパラメータを少なくとも含んでもよい。
【００３９】
共通ＲＲＣパラメータおよび専用ＲＲＣパラメータは、上位層のパラメータとも呼称される。
【００４０】
以下、本実施形態の種々の態様に係る物理チャネルおよび物理シグナルを説明する。
【００４１】
上りリンク物理チャネルは、上位層において発生する情報を運ぶリソースエレメントのセットに対応してもよい。上りリンク物理チャネルは、上りリンクキャリアにおいて用いられる物理チャネルである。本実施形態の一態様に係る無線通信システムにおいて、少なくとも下記の一部または全部の上りリンク物理チャネルが用いられる。
・ＰＵＣＣＨ（Physical Uplink Control CHannel）
・ＰＵＳＣＨ（Physical Uplink Shared CHannel）
・ＰＲＡＣＨ（Physical Random Access CHannel）
【００４２】
ＰＵＣＣＨは、上りリンク制御情報（UCI:Uplink Control Information）を送信するために用いられてもよい。上りリンク制御情報は、チャネル状態情報（CSI:Channel State Information）、スケジューリングリクエスト（SR:Scheduling Request）、トランスポートブロック（TB:Transport block， MAC PDU:Medium Access Control Protocol Data Unit， DL-SCH:Downlink-Shared Channel， PDSCH:Physical Downlink Shared Channel）に
対応するＨＡＲＱ−ＡＣＫ（Hybrid Automatic Repeat request ACKnowledgement）情報
の一部または全部を含む。
【００４３】
ＰＵＣＣＨに上りリンク制御情報が多重されてもよい。該多重されたＰＵＣＣＨは送信されてもよい。
【００４４】
ＨＡＲＱ−ＡＣＫ情報は、トランスポートブロックに対応するＨＡＲＱ−ＡＣＫビットを少なくとも含んでもよい。ＨＡＲＱ−ＡＣＫビットは、トランスポートブロックに対応するＡＣＫ（acknowledgement）またはＮＡＣＫ（negative-acknowledgement）を示して
もよい。ＡＣＫは、該トランスポートブロックの復号が成功裏に完了していることを示す値であってもよい。ＮＡＣＫは、該トランスポートブロックの復号が成功裏に完了していないことを示す値であってもよい。ＨＡＲＱ−ＡＣＫ情報は、１または複数のＨＡＲＱ−ＡＣＫビットを含むＨＡＲＱ−ＡＣＫコードブックを少なくとも１つ含んでもよい。ＨＡＲＱ−ＡＣＫビットが１または複数のトランスポートブロックに対応することは、ＨＡＲＱ−ＡＣＫビットが該１または複数のトランスポートブロックを含むＰＤＳＣＨに対応することであってもよい。
【００４５】
ＨＡＲＱ−ＡＣＫビットは、トランスポートブロックに含まれる１つのＣＢＧ（Code Block Group）に対応するＡＣＫまたはＮＡＣＫを示してもよい。ＨＡＲＱ−ＡＣＫは、ＨＡＲＱフィードバック、ＨＡＲＱ情報、ＨＡＲＱ制御情報とも呼称される。
【００４６】
スケジューリングリクエスト（SR: Scheduling Request）は、初期送信のためのＰＵＳＣＨのリソースを要求するために少なくとも用いられてもよい。スケジューリングリクエストビットは、正のＳＲ（positive SR）または、負のＳＲ（negative SR）のいずれかを
示すために用いられてもよい。スケジューリングリクエストビットが正のＳＲを示すことは、“正のＳＲが送信される”とも呼称される。正のＳＲは、端末装置１によって初期送信のためのＰＵＳＣＨのリソースが要求されることを示してもよい。正のＳＲは、上位層によりスケジューリングリクエストがトリガされることを示してもよい。正のＳＲは、上位層によりスケジューリングリクエストを送信することが指示された場合に、送信されてもよい。スケジューリングリクエストビットが負のＳＲを示すことは、“負のＳＲが送信される”とも呼称される。負のＳＲは、端末装置１によって初期送信のためのＰＵＳＣＨのリソースが要求されないことを示してもよい。負のＳＲは、上位層によりスケジューリングリクエストがトリガされないことを示してもよい。負のＳＲは、上位層によりスケジューリングリクエストを送信することが指示されない場合に、送信されてもよい。
【００４７】
スケジューリングリクエストビットは、１または複数のＳＲ設定（SR configuration）のいずれかに対する正のＳＲ、または、負のＳＲのいずれかを示すために用いられてもよい。該１または複数のＳＲ設定のそれぞれは、１または複数のロジカルチャネルに対応してもよい。あるＳＲ設定に対する正のＳＲは、該あるＳＲ設定に対応する１または複数のロジカルチャネルのいずれかまたは全部に対する正のＳＲであってもよい。負のＳＲは、特定のＳＲ設定に対応しなくてもよい。負のＳＲが示されることは、全てのＳＲ設定に対して負のＳＲが示されることであってもよい。
【００４８】
ＳＲ設定は、スケジューリングリクエストＩＤ（Scheduling Request ID）であっても
よい。スケジューリングリクエストＩＤは、上位層のパラメータにより与えられてもよい。
【００４９】
チャネル状態情報は、チャネル品質指標（CQI: Channel Quality Indicator）、プレコーダ行列指標（PMI:Precoder Matrix Indicator）、および、ランク指標（RI: Rank Indicator）の一部または全部を少なくとも含んでもよい。ＣＱＩは、チャネルの品質（例え
ば、伝搬強度）に関連する指標であり、ＰＭＩは、プレコーダを指示する指標である。ＲＩは、送信ランク（または、送信レイヤ数）を指示する指標である。
【００５０】
チャネル状態情報は、チャネル測定のために少なくとも用いられる物理信号（例えば、ＣＳＩ−ＲＳ）を受信することに少なくとも基づき与えられてもよい。チャネル状態情報は、端末装置１によって選択される値が含まれてもよい。チャネル状態情報は、チャネル測定のために少なくとも用いられる物理信号を受信することに少なくとも基づき、端末装置１によって選択されてもよい。チャネル測定は、干渉測定を含む。
【００５１】
チャネル状態情報報告は、チャネル状態情報の報告である。チャネル状態情報報告は、ＣＳＩパート１、および／または、ＣＳＩパート２を含んでもよい。ＣＳＩパート１は、広帯域チャネル品質情報（wideband CQI）、広帯域プレコーダ行列指標（wideband PMI）、ランク指標の一部または全部を少なくとも含んで構成されてもよい。ＰＵＣＣＨに多重されるＣＳＩパート１のビット数は、チャネル状態情報報告のランク指標の値に関わらず所定の値であってもよい。ＰＵＣＣＨに多重されるＣＳＩパート２のビット数は、チャネル状態情報報告のランク指標の値に基づき与えられてもよい。チャネル状態情報報告のランク指標は、該チャネル状態情報報告の算出のために用いられるランク指標の値であってもよい。チャネル状態情報のランク指標は、該チャネル状態情報報告に含まれるランク指標フィールドにより示される値であってもよい。
【００５２】
チャネル状態情報報告において許可されるランク指標のセットは、１から８の一部または全部であってもよい。チャネル状態情報報告において許可されるランク指標のセットは、上位層のパラメータＲａｎｋＲｅｓｔｒｉｃｔｉｏｎに少なくとも基づき与えられてもよい。チャネル状態情報報告において許可されるランク指標のセットが１つの値のみを含
む場合、該チャネル状態情報報告のランク指標は該１つの値であってもよい。
【００５３】
チャネル状態情報報告に対して、優先度が設定されてもよい。チャネル状態情報報告の優先度は、該チャネル状態情報報告の時間領域のふるまいに関する設定、該チャネル状態情報報告のコンテンツのタイプ、該チャネル状態情報報告のインデックス、および／または、該チャネル状態情報報告の測定が設定されるサービングセルのインデックスの一部または全部に少なくとも基づき与えられてもよい。
【００５４】
チャネル状態情報報告の時間領域のふるまいに関する設定は、該チャネル状態情報報告が非周期的に（aperiodic）行われるか、該チャネル状態情報報告が半永続的に（semi-persistent）行われるか、または、準静的に行われるか、のいずれかを示す設定であってもよい。
【００５５】
チャネル状態情報報告のコンテンツのタイプは、該チャネル状態情報報告がレイヤ１のＲＳＲＰ（Reference Signals Received Power）を含むか否かを示してもよい。
【００５６】
チャネル状態情報報告のインデックスは、上位層のパラメータにより与えられてもよい。
【００５７】
ＰＵＣＣＨは、ＰＵＣＣＨフォーマット（ＰＵＣＣＨフォーマット０からＰＵＣＣＨフォーマット４）をサポートする。ＰＵＣＣＨフォーマットは、ＰＵＣＣＨで送信されてもよい。ＰＵＣＣＨフォーマットが送信されることは、ＰＵＣＣＨが送信されることであってもよい。
【００５８】
図４は、本実施形態の一態様に係るＰＵＣＣＨフォーマットとＰＵＣＣＨフォーマットの長さＮＰＵＣＣＨｓｙｍｂの関係の一例を示す図である。ＰＵＣＣＨフォーマット０の長さＮＰＵＣＣＨｓｙｍｂは、１または２ＯＦＤＭシンボルである。ＰＵＣＣＨフォーマット１の長さＮＰＵＣＣＨｓｙｍｂは、４から１４ＯＦＤＭシンボルのいずれかである。ＰＵＣＣＨフォーマット２の長さＮＰＵＣＣＨｓｙｍｂは、１または２ＯＦＤＭシンボルである。ＰＵＣＣＨフォーマット３の長さＮＰＵＣＣＨｓｙｍｂは、４から１４ＯＦＤＭシンボルのいずれかである。ＰＵＣＣＨフォーマット４の長さＮＰＵＣＣＨｓｙｍｂは、４から１４ＯＦＤＭシンボルのいずれかである。
【００５９】
ＰＵＳＣＨは、トランスポートブロック（TB， MAC PDU， UL-SCH）を送信するために
少なくとも用いられる。ＰＵＳＣＨは、トランスポートブロック、ＨＡＲＱ−ＡＣＫ情報、チャネル状態情報、および、スケジューリングリクエストの一部または全部を少なくとも送信するために用いられてもよい。ＰＵＳＣＨは、ランダムアクセスメッセージ３を送信するために少なくとも用いられる。
【００６０】
ＰＲＡＣＨは、ランダムアクセスプリアンブル（ランダムアクセスメッセージ１）を送信するために少なくとも用いられる。ＰＲＡＣＨは、初期コネクション確立（initial connection establishment）プロシージャ、ハンドオーバプロシージャ、コネクション再確立（connection re-establishment）プロシージャ、ＰＵＳＣＨの送信に対する同期（タ
イミング調整）、およびＰＵＳＣＨのためのリソースの要求の一部または全部を示すために少なくとも用いられてもよい。ランダムアクセスプリアンブルは、端末装置１の上位層より与えられるインデックス（ランダムアクセスプリアンブルインデックス）を基地局装置３に通知するために用いられてもよい。
【００６１】
ランダムアクセスプリアンブルは、物理ルートシーケンスインデックスｕに対応するＺａｄｏｆｆ−Ｃｈｕ系列をサイクリックシフトすることによって与えられてもよい。Ｚａ
ｄｏｆｆ−Ｃｈｕ系列は、物理ルートシーケンスインデックスｕに基づいて生成されてもよい。１つのサービングセル（serving cell）において、複数のランダムアクセスプリアンブルが定義されてもよい。ランダムアクセスプリアンブルは、ランダムアクセスプリアンブルのインデックスに少なくとも基づき特定されてもよい。ランダムアクセスプリアンブルの異なるインデックスに対応する異なるランダムアクセスプリアンブルは、物理ルートシーケンスインデックスｕとサイクリックシフトの異なる組み合わせに対応してもよい。物理ルートシーケンスインデックスｕ、および、サイクリックシフトは、システム情報に含まれる情報に少なくとも基づいて与えられてもよい。物理ルートシーケンスインデックスｕは、ランダムアクセスプリアンブルに含まれる系列を識別するインデックスであってもよい。ランダムアクセスプリアンブルは、物理ルートシーケンスインデックスｕに少なくとも基づき特定されてもよい。
【００６２】
図１において、上りリンクの無線通信では、以下の上りリンク物理シグナルが用いられる。上りリンク物理シグナルは、上位層から出力された情報を送信するために使用されなくてもよいが、物理層によって使用される。
・ＵＬ  ＤＭＲＳ（UpLink Demodulation Reference Signal）
・ＳＲＳ（Sounding Reference Signal）
・ＵＬ  ＰＴＲＳ（UpLink Phase Tracking Reference Signal）
【００６３】
ＵＬ  ＤＭＲＳは、ＰＵＳＣＨ、および／または、ＰＵＣＣＨの送信に関連する。ＵＬ
ＤＭＲＳは、ＰＵＳＣＨまたはＰＵＣＣＨと多重される。基地局装置３は、ＰＵＳＣＨまたはＰＵＣＣＨの伝搬路補正を行なうためにＵＬ  ＤＭＲＳを使用してよい。以下、ＰＵＳＣＨと、該ＰＵＳＣＨに関連するＵＬ  ＤＭＲＳを共に送信することを、単に、ＰＵＳＣＨを送信する、と称する。以下、ＰＵＣＣＨと該ＰＵＣＣＨに関連するＵＬ  ＤＭＲＳを共に送信することを、単に、ＰＵＣＣＨを送信する、と称する。ＰＵＳＣＨに関連するＵＬ  ＤＭＲＳは、ＰＵＳＣＨ用ＵＬ  ＤＭＲＳとも称される。ＰＵＣＣＨに関連するＵＬ  ＤＭＲＳは、ＰＵＣＣＨ用ＵＬ  ＤＭＲＳとも称される。
【００６４】
ＳＲＳは、ＰＵＳＣＨまたはＰＵＣＣＨの送信に関連しなくてもよい。基地局装置３は、チャネル状態の測定のためにＳＲＳを用いてもよい。ＳＲＳは、上りリンクスロットにおけるサブフレームの最後、または、最後から所定数のＯＦＤＭシンボルにおいて送信されてもよい。
【００６５】
ＵＬ  ＰＴＲＳは、位相トラッキングのために少なくとも用いられる参照信号であってもよい。ＵＬ  ＰＴＲＳは、１または複数のＵＬ  ＤＭＲＳに用いられるアンテナポートを少なくとも含むＵＬ  ＤＭＲＳグループに関連してもよい。ＵＬ  ＰＴＲＳとＵＬ  ＤＭＲＳグループが関連することは、ＵＬ  ＰＴＲＳのアンテナポートとＵＬ  ＤＭＲＳグループに含まれるアンテナポートの一部または全部が少なくともＱＣＬであることであってもよい。ＵＬ  ＤＭＲＳグループは、ＵＬ  ＤＭＲＳグループに含まれるＵＬ  ＤＭＲＳにおいて最も小さいインデックスのアンテナポートに少なくとも基づき識別されてもよい。ＵＬ  ＰＴＲＳは、１つのコードワードがマップされる１または複数のアンテナポートにおいて、最もインデックスの小さいアンテナポートにマップされてもよい。ＵＬ  ＰＴＲＳは、１つのコードワードが第１のレイヤ及び第２のレイヤに少なくともマップされる場合に、該第１のレイヤにマップされてもよい。ＵＬ  ＰＴＲＳは、該第２のレイヤにマップされなくてもよい。ＵＬ  ＰＴＲＳがマップされるアンテナポートのインデックスは、下りリンク制御情報に少なくとも基づき与えられてもよい。
【００６６】
図１において、基地局装置３から端末装置１への下りリンクの無線通信では、以下の下りリンク物理チャネルが用いられる。下りリンク物理チャネルは、上位層から出力された情報を送信するために、物理層によって使用される。
・ＰＢＣＨ（Physical Broadcast Channel）
・ＰＤＣＣＨ（Physical Downlink Control Channel）
・ＰＤＳＣＨ（Physical Downlink Shared Channel）
【００６７】
ＰＢＣＨは、ＭＩＢ、および／または、ＰＢＣＨペイロードを送信するために少なくとも用いられる。ＰＢＣＨペイロードは、ＳＳブロックの送信タイミングに関するインデックスを示す情報を少なくとも含んでもよい。ＰＢＣＨペイロードは、ＳＳブロックの識別子（インデックス）に関連する情報を含んでもよい。ＰＢＣＨは、所定の送信間隔に基づき送信されてもよい。ＰＢＣＨは、８０ｍｓの間隔で送信されてもよい。ＰＢＣＨは、１６０ｍｓの間隔で送信されてもよい。ＰＢＣＨに含まれる情報の中身は、８０ｍｓごとに更新されてもよい。ＰＢＣＨに含まれる情報の一部または全部は、１６０ｍｓごとに更新されてもよい。ＰＢＣＨは、２８８サブキャリアにより構成されてもよい。ＰＢＣＨは、２、３、または、４つのＯＦＤＭシンボルを含んで構成されてもよい。ＭＩＢは、ＳＳブロックの識別子（インデックス）に関連する情報を含んでもよい。ＭＩＢは、ＰＢＣＨが送信されるスロットの番号、サブフレームの番号、および／または、無線フレームの番号の少なくとも一部を指示する情報を含んでもよい。
【００６８】
ＰＤＣＣＨは、下りリンク制御情報（DCI:Downlink Control Information）の送信のために少なくとも用いられる。ＰＤＣＣＨは、下りリンク制御情報を少なくとも含んで送信されてもよい。下りリンク制御情報は、ＰＤＣＣＨにマップされてもよい。下りリンク制御情報は、ＤＣＩフォーマットとも呼称される。下りリンク制御情報は、下りリンクグラント（downlink grant）または上りリンクグラント（uplink grant）のいずれかを少なくとも示してもよい。ＰＤＳＣＨのスケジューリングのために用いられるＤＣＩフォーマットは、下りリンクＤＣＩフォーマットとも呼称される。ＰＵＳＣＨのスケジューリングのために用いられるＤＣＩフォーマットは、上りリンクＤＣＩフォーマットとも呼称される。下りリンクグラントは、下りリンクアサインメント（downlink assignment）または下
りリンク割り当て（downlink allocation）とも呼称される。
【００６９】
本実施形態の種々の態様において、特別な記載のない限り、リソースブロックの数は周波数領域におけるリソースブロックの数を示す。
【００７０】
１つの物理チャネルは、１つのサービングセルにマップされてもよい。１つの物理チャネルは、１つのサービングセルに含まれる１つのキャリアに設定される１つのキャリアバンドパートにマップされてもよい。
【００７１】
端末装置１は、１または複数の制御リソースセット（CORESET:COntrol REsource SET）が与えられる。端末装置１は、１または複数の制御リソースセットにおいてＰＤＣＣＨを監視（monitor）する。
【００７２】
制御リソースセットは、１つまたは複数のＰＤＣＣＨがマップされうる時間周波数領域を示してもよい。制御リソースセットは、端末装置１がＰＤＣＣＨを監視する領域であってもよい。制御リソースセットは、連続的なリソース（Localized resource）により構成されてもよい。制御リソースセットは、非連続的なリソース（distributed resource）により構成されてもよい。
【００７３】
周波数領域において、制御リソースセットのマッピングの単位はリソースブロックであってもよい。例えば、周波数領域において、制御リソースセットのマッピングの単位は６リソースブロックであってもよい。時間領域において、制御リソースセットのマッピングの単位はＯＦＤＭシンボルであってもよい。例えば、時間領域において、制御リソースセットのマッピングの単位は１ＯＦＤＭシンボルであってもよい。
【００７４】
制御リソースセットの周波数領域は、上位層の信号、および／または、下りリンク制御情報に少なくとも基づき与えられてもよい。
【００７５】
制御リソースセットの時間領域は、上位層の信号、および／または、下りリンク制御情報に少なくとも基づき与えられてもよい。
【００７６】
ある制御リソースセットは、共通制御リソースセット（Common control resource set
）であってもよい。共通制御リソースセットは、複数の端末装置１に対して共通に設定される制御リソースセットであってもよい。共通制御リソースセットは、ＭＩＢ、ＳＩＢ、共通ＲＲＣシグナリング、および、セルＩＤの一部または全部に少なくとも基づき与えられてもよい。例えば、ＳＩＢのスケジューリングのために用いられるＰＤＣＣＨをモニタすることが設定される制御リソースセットの時間リソース、および／または、周波数リソースは、ＭＩＢに少なくとも基づき与えられてもよい。
【００７７】
ある制御リソースセットは、専用制御リソースセット（Dedicated control resource set）であってもよい。専用制御リソースセットは、端末装置１のために専用に用いられるように設定される制御リソースセットであってもよい。専用制御リソースセットは、専用ＲＲＣシグナリングに少なくとも基づき与えられてもよい。
【００７８】
端末装置１によって監視されるＰＤＣＣＨの候補のセットは、探索領域の観点から定義されてもよい。つまり、端末装置１によって監視されるＰＤＣＣＨ候補のセットは、探索領域によって与えられてもよい。
【００７９】
探索領域は、１または複数の集約レベル（Aggregation level）のＰＤＣＣＨ候補を１
または複数含んで構成されてもよい。ＰＤＣＣＨ候補の集約レベルは、該ＰＤＣＣＨを構成するＣＣＥの個数を示してもよい。
【００８０】
端末装置１は、ＤＲＸ（Discontinuous reception）が設定されないスロットにおいて
少なくとも１または複数の探索領域を監視してもよい。ＤＲＸは、上位層のパラメータに少なくとも基づき与えられてもよい。端末装置１は、ＤＲＸが設定されないスロットにおいて少なくとも１または複数の探索領域セット（Search space set）を監視してもよい。
【００８１】
探索領域セットは、１または複数の探索領域を少なくとも含んで構成されてもよい。探索領域セットは、タイプ０ＰＤＣＣＨ共通探索領域（common search space）、タイプ１
ＰＤＣＣＨ共通探索領域、および／または、ＵＥ固有探索領域の一部または全部を少なくとも含んでもよい。タイプ０ＰＤＣＣＨ共通探索領域は、上りリンクＤＣＩフォーマット、および／または、下りリンクＤＣＩフォーマットの一部または全部の監視のために少なくとも設定されてもよい。タイプ１ＰＤＣＣＨ共通探索領域は、上りリンクＤＣＩフォーマット、および／または、下りリンクＤＣＩフォーマットの一部または全部の監視のために少なくとも設定されてもよい。ＵＥ固有探索領域は、上りリンクＤＣＩフォーマット、および／または、下りリンクＤＣＩフォーマットの一部または全部の監視のために少なくとも設定されてもよい。
【００８２】
タイプ０ＰＤＣＣＨ共通探索領域、および、タイプ１ＰＤＣＣＨ共通探索領域は、ＣＳＳ（Common Search Space）とも呼称される。ＵＥ個別探索領域は、ＵＳＳ（UE specific
Search Space）とも呼称される。
【００８３】
探索領域セットのそれぞれは、１つの制御リソースセットに関連してもよい。探索領域セットのそれぞれは、１つの制御リソースセットに少なくとも含まれてもよい。探索領域
セットのそれぞれに対して、該探索領域セットに関連する制御リソースセットのインデックスが与えられてもよい。
【００８４】
タイプ０ＰＤＣＣＨ共通探索領域は、ＳＩ−ＲＮＴＩ（System Information-Radio Network Temporary Identifier）によってスクランブルされたＣＲＣ（Cyclic Redundancy Check）系列を伴うＤＣＩフォーマットのために少なくとも用いられてもよい。タイプ０ＰＤＣＣＨ共通探索領域に少なくとも関連する制御リソースセットの設定は、上位層パラメータＲＭＳＩ−ＰＤＣＣＨ−Ｃｏｎｆｉｇに少なくとも基づき与えられてもよい。上位層パラメータＲＭＳＩ−ＰＤＣＣＨ−Ｃｏｎｆｉｇは、ＭＩＢに含まれてもよい。上位層パラメータＲＭＳＩ−ＰＤＣＣＨ−Ｃｏｎｆｉｇは、タイプ０ＰＤＣＣＨ共通探索領域に少なくとも関連する制御リソースセットに含まれるリソースブロックの数、該制御リソースセットに含まれるＯＦＤＭシンボルの数の一方または両方を少なくとも示してもよい。上位層パラメータＲＭＳＩ−ＰＤＣＣＨ−ＣｏｎｆｉｇはＭＩＢに含まれる情報フィールドにより示されてもよい。
【００８５】
タイプ１ＰＤＣＣＨ共通探索領域は、ＲＡ−ＲＮＴＩ（Random Access-Radio Network Temporary Identifier）によってスクランブルされたＣＲＣ系列、ＴＣ−ＲＮＴＩ（Temporary Common-Radio Network Temporary Identifier）によってスクランブルされたＣＲ
Ｃ系列、および／または、Ｃ−ＲＮＴＩ（Common-Radio Network Temporary Identifier
）によってスクランブルされたＣＲＣ系列を伴うＤＣＩフォーマットのために少なくとも用いられてもよい。ＲＡ−ＲＮＴＩは、端末装置１によって送信されるランダムアクセスプリアンブルの時間／周波数リソースに少なくとも基づき与えられてもよい。ＴＣ−ＲＮＴＩは、ＲＡ−ＲＮＴＩによってスクランブルされたＣＲＣ系列を伴うＤＣＩフォーマットによりスケジューリングされるＰＤＳＣＨ（メッセージ２、または、ランダムアクセスレスポンスグラントとも呼称される）により与えられてもよい。Ｃ−ＲＮＴＩは、ＴＣ−ＲＮＴＩによってスクランブルされたＣＲＣ系列を伴うＤＣＩフォーマットによりスケジューリングされるＰＤＳＣＨ（メッセージ４、または、コンテンションレゾリューションとも呼称される）に少なくとも基づき与えられてもよい。
【００８６】
ＵＥ固有探索領域は、Ｃ−ＲＮＴＩによってスクランブルされたＣＲＣ系列を伴うＤＣＩフォーマットのために少なくとも用いられてもよい。
【００８７】
共通制御リソースセットは、ＣＳＳおよびＵＳＳの一方または両方を少なくとも含んでもよい。専用制御リソースセットは、ＣＳＳおよびＵＳＳの一方または両方を少なくとも含んでもよい。
【００８８】
探索領域の物理リソースは制御チャネルの構成単位（CCE:Control Channel Element）
により構成される。ＣＣＥは６つのリソース要素グループ（REG:Resource Element Group）により構成される。ＲＥＧは１つのＰＲＢ（Physical Resource Block）の１ＯＦＤＭ
シンボルにより構成されてもよい。つまり、ＲＥＧは１２個のリソースエレメント（RE:Resource Element）を含んで構成されてもよい。ＰＲＢは、単にＲＢ（Ｒｅｓｏｕｒｃｅ
Ｂｌｏｃｋ：リソースブロック）とも呼称される。
【００８９】
ＰＤＳＣＨは、トランスポートブロックを送信するために少なくとも用いられる。ＰＤＳＣＨは、ランダムアクセスメッセージ２（ランダムアクセスレスポンス）を送信するために少なくとも用いられてもよい。ＰＤＳＣＨは、初期アクセスのために用いられるパラメータを含むシステム情報を送信するために少なくとも用いられてもよい。
【００９０】
図１において、下りリンクの無線通信では、以下の下りリンク物理シグナルが用いられる。下りリンク物理シグナルは、上位層から出力された情報を送信するために使用されな
くてもよいが、物理層によって使用される。
・同期信号（SS:Synchronization signal）
・ＤＬ  ＤＭＲＳ（DownLink DeModulation Reference Signal）
・ＣＳＩ−ＲＳ（Channel State Information-Reference Signal）
・ＤＬ  ＰＴＲＳ（DownLink Phase Tracking Reference Signal）
・ＴＲＳ（Tracking Reference Signal）
【００９１】
同期信号は、端末装置１が下りリンクの周波数領域、および／または、時間領域の同期をとるために用いられる。同期信号は、ＰＳＳ（Primary Synchronization Signal）、および、ＳＳＳ（Secondary Synchronization Signal）を含む。
【００９２】
ＳＳブロック（ＳＳ／ＰＢＣＨブロック）は、ＰＳＳ、ＳＳＳ、および、ＰＢＣＨの一部または全部を少なくとも含んで構成される。ＳＳブロックに含まれるＰＳＳ、ＳＳＳ、および、ＰＢＣＨの一部または全部のそれぞれのアンテナポートは同一であってもよい。ＳＳブロックに含まれるＰＳＳ、ＳＳＳ、およびＰＢＣＨの一部または全部は、連続するＯＦＤＭシンボルにマップされてもよい。ＳＳブロックに含まれるＰＳＳ、ＳＳＳ、および、ＰＢＣＨの一部または全部のそれぞれのＣＰ設定は同一であってもよい。ＳＳブロックに含まれるＰＳＳ、ＳＳＳ、および、ＰＢＣＨの一部または全部のそれぞれのサブキャリア間隔の設定μは同一であってもよい。
【００９３】
ＤＬ  ＤＭＲＳは、ＰＢＣＨ、ＰＤＣＣＨ、および／または、ＰＤＳＣＨの送信に関連する。ＤＬ  ＤＭＲＳは、ＰＢＣＨ、ＰＤＣＣＨ、および／または、ＰＤＳＣＨに多重される。端末装置１は、ＰＢＣＨ、ＰＤＣＣＨ、または、ＰＤＳＣＨの伝搬路補正を行なうために該ＰＢＣＨ、該ＰＤＣＣＨ、または、該ＰＤＳＣＨと対応するＤＬ  ＤＭＲＳを使用してよい。以下、ＰＢＣＨと、該ＰＢＣＨと関連するＤＬ  ＤＭＲＳが共に送信されることは、ＰＢＣＨが送信されると呼称される。また、ＰＤＣＣＨと、該ＰＤＣＣＨと関連するＤＬ  ＤＭＲＳが共に送信されることは、単にＰＤＣＣＨが送信されると呼称される。また、ＰＤＳＣＨと、該ＰＤＳＣＨと関連するＤＬ  ＤＭＲＳが共に送信されることは、単にＰＤＳＣＨが送信されると呼称される。ＰＢＣＨと関連するＤＬ  ＤＭＲＳは、ＰＢＣＨ用ＤＬ  ＤＭＲＳとも呼称される。ＰＤＳＣＨと関連するＤＬ  ＤＭＲＳは、ＰＤＳＣＨ用ＤＬ  ＤＭＲＳとも呼称される。ＰＤＣＣＨと関連するＤＬ  ＤＭＲＳは、ＰＤＣＣＨと関連するＤＬ  ＤＭＲＳとも呼称される。
【００９４】
ＤＬ  ＤＭＲＳは、端末装置１に個別に設定される参照信号であってもよい。ＤＬ  ＤＭＲＳの系列は、端末装置１に個別に設定されるパラメータに少なくとも基づいて与えられてもよい。ＤＬ  ＤＭＲＳの系列は、ＵＥ固有の値（例えば、Ｃ−ＲＮＴＩ等）に少なくとも基づき与えられてもよい。ＤＬ  ＤＭＲＳは、ＰＤＣＣＨ、および／または、ＰＤＳＣＨのために個別に送信されてもよい。
【００９５】
ＣＳＩ−ＲＳは、チャネル状態情報を算出するために少なくとも用いられる信号であってもよい。端末装置によって想定されるＣＳＩ−ＲＳのパターンは、少なくとも上位層のパラメータにより与えられてもよい。
【００９６】
ＰＴＲＳは、位相雑音の補償のために少なくとも用いられる信号であってもよい。端末装置によって想定されるＰＴＲＳのパターンは、上位層のパラメータ、および／または、ＤＣＩに少なくとも基づき与えられてもよい。
【００９７】
ＤＬ  ＰＴＲＳは、１または複数のＤＬ  ＤＭＲＳに用いられるアンテナポートを少なくとも含むＤＬ  ＤＭＲＳグループに関連してもよい。ＤＬ  ＰＴＲＳとＤＬ  ＤＭＲＳグループが関連することは、ＤＬ  ＰＴＲＳのアンテナポートとＤＬ  ＤＭＲＳグループ
に含まれるアンテナポートの一部または全部が少なくともＱＣＬであることであってもよい。ＤＬ  ＤＭＲＳグループは、ＤＬ  ＤＭＲＳグループに含まれるＤＬ  ＤＭＲＳにおいて最も小さいインデックスのアンテナポートに少なくとも基づき識別されてもよい。
【００９８】
ＴＲＳは、時間、および／または、周波数の同期のために少なくとも用いられる信号であってもよい。端末装置によって想定されるＴＲＳのパターンは、上位層のパラメータ、および／または、ＤＣＩに少なくとも基づき与えられてもよい。
【００９９】
下りリンク物理チャネルおよび下りリンク物理シグナルは、下りリンク信号とも呼称される。上りリンク物理チャネルおよび上りリンク物理シグナルは、上りリンク信号とも呼称される。下りリンク信号および上りリンク信号はまとめて物理信号とも呼称される。下りリンク信号および上りリンク信号はまとめて信号とも呼称される。下りリンク物理チャネルおよび上りリンク物理チャネルを総称して、物理チャネルと称する。下りリンク物理シグナルおよび上りリンク物理シグナルを総称して、物理シグナルと称する。
【０１００】
ＢＣＨ（Broadcast CHannel）、ＵＬ−ＳＣＨ（Uplink-Shared CHannel）およびＤＬ−ＳＣＨ（Downlink-Shared CHannel）は、トランスポートチャネルである。媒体アクセス
制御（MAC:Medium Access Control）層で用いられるチャネルはトランスポートチャネル
と呼称される。ＭＡＣ層で用いられるトランスポートチャネルの単位は、トランスポートブロック（TB）またはＭＡＣ  ＰＤＵとも呼称される。ＭＡＣ層においてトランスポートブロック毎にＨＡＲＱ（Hybrid Automatic Repeat reQuest）の制御が行なわれる。トラ
ンスポートブロックは、ＭＡＣ層が物理層に渡す（deliver）データの単位である。物理
層において、トランスポートブロックはコードワードにマップされ、コードワード毎に変調処理が行なわれる。
【０１０１】
基地局装置３と端末装置１は、上位層（higher layer）において上位層の信号をやり取り（送受信）する。例えば、基地局装置３と端末装置１は、無線リソース制御（RRC:Radio Resource Control）層において、ＲＲＣシグナリング（RRC message:Radio Resource Control message、RRC information:Radio Resource Control information）を送受信してもよい。また、基地局装置３と端末装置１は、ＭＡＣ層において、ＭＡＣ  ＣＥ（Control Element）を送受信してもよい。ここで、ＲＲＣシグナリング、および／または、ＭＡ
Ｃ  ＣＥを、上位層の信号（higher layer signaling）とも称する。
【０１０２】
ＰＵＳＣＨおよびＰＤＳＣＨは、ＲＲＣシグナリング、および／または、ＭＡＣ  ＣＥを送信するために少なくとも用いられてよい。ここで、基地局装置３よりＰＤＳＣＨで送信されるＲＲＣシグナリングは、サービングセル内における複数の端末装置１に対して共通のシグナリングであってもよい。サービングセル内における複数の端末装置１に対して共通のシグナリングは、共通ＲＲＣシグナリングとも呼称される。基地局装置３からＰＤＳＣＨで送信されるＲＲＣシグナリングは、ある端末装置１に対して専用のシグナリング（ｄｅｄｉｃａｔｅｄ  ｓｉｇｎａｌｉｎｇまたはＵＥ  ｓｐｅｃｉｆｉｃ  ｓｉｇｎａｌｉｎｇとも呼称される）であってもよい。端末装置１に対して専用のシグナリングは、専用ＲＲＣシグナリングとも呼称される。サービングセルにおいて固有な上位層のパラメータは、サービングセル内における複数の端末装置１に対して共通のシグナリング、または、ある端末装置１に対して専用のシグナリングを用いて送信されてもよい。ＵＥ固有な上位層のパラメータは、ある端末装置１に対して専用のシグナリングを用いて送信されてもよい。
【０１０３】
ＢＣＣＨ（Broadcast Control CHannel）、ＣＣＣＨ（Common Control CHannel）、お
よび、ＤＣＣＨ（Dedicated Control CHannel）は、ロジカルチャネルである。例えば、
ＢＣＣＨは、ＭＩＢを送信するために用いられる上位層のチャネルである。また、ＣＣＣ
Ｈ（Common Control CHannel）は、複数の端末装置１において共通な情報を送信するために用いられる上位層のチャネルである。ここで、ＣＣＣＨは、例えば、ＲＲＣ接続されていない端末装置１のために用いられてもよい。また、ＤＣＣＨ（Dedicated Control CHannel）は、端末装置１に専用の制御情報（dedicated control information）を送信するために少なくとも用いられる上位層のチャネルである。ここで、ＤＣＣＨは、例えば、ＲＲＣ接続されている端末装置１のために用いられてもよい。
【０１０４】
ロジカルチャネルにおけるＢＣＣＨは、トランスポートチャネルにおいてＢＣＨ、ＤＬ−ＳＣＨ、または、ＵＬ−ＳＣＨにマップされてもよい。ロジカルチャネルにおけるＣＣＣＨは、トランスポートチャネルにおいてＤＬ−ＳＣＨまたはＵＬ−ＳＣＨにマップされてもよい。ロジカルチャネルにおけるＤＣＣＨは、トランスポートチャネルにおいてＤＬ−ＳＣＨまたはＵＬ−ＳＣＨにマップされてもよい。
【０１０５】
トランスポートチャネルにおけるＵＬ−ＳＣＨは、物理チャネルにおいてＰＵＳＣＨにマップされてもよい。トランスポートチャネルにおけるＤＬ−ＳＣＨは、物理チャネルにおいてＰＤＳＣＨにマップされてもよい。トランスポートチャネルにおけるＢＣＨは、物理チャネルにおいてＰＢＣＨにマップされてもよい。
【０１０６】
以下、本実施形態の一態様に係る端末装置１の構成例を説明する。
【０１０７】
図５は、本実施形態の一態様に係る端末装置１の構成を示す概略ブロック図である。図示するように、端末装置１は、無線送受信部１０、および、上位層処理部１４を含んで構成される。無線送受信部１０は、アンテナ部１１、ＲＦ（Radio Frequency）部１２、お
よび、ベースバンド部１３の一部または全部を少なくとも含んで構成される。上位層処理部１４は、媒体アクセス制御層処理部１５、および、無線リソース制御層処理部１６の一部または全部を少なくとも含んで構成される。無線送受信部１０を送信部、受信部、または、物理層処理部とも称する。
【０１０８】
上位層処理部１４は、ユーザーの操作等により生成された上りリンクデータ（トランスポートブロック）を、無線送受信部１０に出力する。上位層処理部１４は、ＭＡＣ層、パケットデータ統合プロトコル（PDCP:Packet Data Convergence Protocol）層、無線リン
ク制御（RLC:Radio Link Control）層、ＲＲＣ層の処理を行なう。
【０１０９】
上位層処理部１４が備える媒体アクセス制御層処理部１５は、ＭＡＣ層の処理を行う。
【０１１０】
上位層処理部１４が備える無線リソース制御層処理部１６は、ＲＲＣ層の処理を行う。無線リソース制御層処理部１６は、自装置の各種設定情報／パラメータの管理をする。無線リソース制御層処理部１６は、基地局装置３から受信した上位層の信号に基づいて各種設定情報／パラメータをセットする。すなわち、無線リソース制御層処理部１６は、基地局装置３から受信した各種設定情報／パラメータを示す情報に基づいて各種設定情報／パラメータをセットする。該パラメータは上位層のパラメータであってもよい。
【０１１１】
無線送受信部１０は、変調、復調、符号化、復号化などの物理層の処理を行う。無線送受信部１０は、受信した物理信号を、分離、復調、復号し、復号した情報を上位層処理部１４に出力する。無線送受信部１０は、データを変調、符号化、ベースバンド信号生成（時間連続信号への変換）することによって物理信号を生成し、基地局装置３に送信する。
【０１１２】
ＲＦ部１２は、アンテナ部１１を介して受信した信号を、直交復調によりベースバンド信号に変換し（ダウンコンバート：ｄｏｗｎ  ｃｏｖｅｒｔ）、不要な周波数成分を除去する。ＲＦ部１２は、処理をしたアナログ信号をベースバンド部に出力する。
【０１１３】
ベースバンド部１３は、ＲＦ部１２から入力されたアナログ信号をディジタル信号に変換する。ベースバンド部１３は、変換したディジタル信号からＣＰ（Cyclic Prefix）に
相当する部分を除去し、ＣＰを除去した信号に対して高速フーリエ変換（FFT:Fast Fourier Transform）を行い、周波数領域の信号を抽出する。
【０１１４】
ベースバンド部１３は、データを逆高速フーリエ変換（IFFT:Inverse Fast Fourier Transform）して、ＯＦＤＭシンボルを生成し、生成されたＯＦＤＭシンボルにＣＰを付加
し、ベースバンドのディジタル信号を生成し、ベースバンドのディジタル信号をアナログ信号に変換する。ベースバンド部１３は、変換したアナログ信号をＲＦ部１２に出力する。
【０１１５】
ＲＦ部１２は、ローパスフィルタを用いてベースバンド部１３から入力されたアナログ信号から余分な周波数成分を除去し、アナログ信号を搬送波周波数にアップコンバート（up convert）し、アンテナ部１１を介して送信する。また、ＲＦ部１２は、電力を増幅する。また、ＲＦ部１２は送信電力を制御する機能を備えてもよい。ＲＦ部１２を送信電力制御部とも称する。
【０１１６】
以下、本実施形態の一態様に係る基地局装置３の構成例を説明する。
【０１１７】
図６は、本実施形態の一態様に係る基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバンド部３３を含んで構成される。上位層処理部３４は、媒体アクセス制御層処理部３５、および、無線リソース制御層処理部３６を含んで構成される。無線送受信部３０を送信部、受信部、または、物理層処理部とも称する。
【０１１８】
上位層処理部３４は、ＭＡＣ層、ＰＤＣＰ層、ＲＬＣ層、ＲＲＣ層の処理を行なう。
【０１１９】
上位層処理部３４が備える媒体アクセス制御層処理部３５は、ＭＡＣ層の処理を行う。
【０１２０】
上位層処理部３４が備える無線リソース制御層処理部３６は、ＲＲＣ層の処理を行う。無線リソース制御層処理部３６は、ＰＤＳＣＨに配置される下りリンクデータ（トランスポートブロック）、システム情報、ＲＲＣメッセージ、ＭＡＣ  ＣＥなどを生成し、又は上位ノードから取得し、無線送受信部３０に出力する。また、無線リソース制御層処理部３６は、端末装置１各々の各種設定情報／パラメータの管理をする。無線リソース制御層処理部３６は、上位層の信号を介して端末装置１各々に対して各種設定情報／パラメータをセットしてもよい。すなわち、無線リソース制御層処理部３６は、各種設定情報／パラメータを示す情報を送信／報知する。
【０１２１】
無線送受信部３０の機能は、無線送受信部１０と同様であるため説明を省略する。
【０１２２】
端末装置１が備える符号１０から符号１６が付された部のそれぞれは、回路として構成されてもよい。基地局装置３が備える符号３０から符号３６が付された部のそれぞれは、回路として構成されてもよい。端末装置１が備える符号１０から符号１６が付された部の一部または全部は、メモリと該メモリに接続されるプロセッサとして構成されてもよい。基地局装置３が備える符号３０から符号３６が付された部の一部または全部は、メモリと該メモリに接続されるプロセッサとして構成されてもよい。本実施形態に係る種々の態様（動作、処理）は、端末装置１および／または基地局装置３に含まれるメモリおよび該メモリに接続されるプロセッサにおいて実現されて（行われて）もよい。
【０１２３】
以下、種々の態様例を説明する。
【０１２４】
ＰＵＣＣＨリソースの設定（PUCCH resource configuration）が専用ＲＲＣパラメータにより与えられていない場合、ＰＵＣＣＨリソースセットがＳＩＢにより設定されてもよい。ＰＵＣＣＨリソースセットは、１または複数のＰＵＣＣＨリソースを含んで構成される。ＰＵＣＣＨリソースの設定が専用ＲＲＣパラメータにより与えられる場合、該専用ＲＲＣパラメータは、１または複数のＰＵＣＣＨリソースセットを提供する。
【０１２５】
図７は、本実施形態の一態様に係るＰＵＣＣＨリソースの設定の一例を示す図である。図７において、ＰＵＣＣＨリソースの設定は、４つのＰＵＣＣＨリソースセット（ＰＵＣＣＨリソースセット７０００、ＰＵＣＣＨリソースセット７１００、ＰＵＣＣＨリソースセット７２００、ＰＵＣＣＨリソースセット７３００）を含んで構成される。また、ＰＵＣＣＨリソースセット７０００は、４つのＰＵＣＣＨリソース（７００１、７００２、７００３、７００４）を含んで構成される。また、ＰＵＣＣＨリソースセット７１００は、４つのＰＵＣＣＨリソース（７１０１、７１０２、７１０３、７１０４）を含んで構成される。また、ＰＵＣＣＨリソースセット７２００は、４つのＰＵＣＣＨリソース（７２０１、７２０２、７２０３、７２０４）を含んで構成される。また、ＰＵＣＣＨリソースセット７３００は、４つのＰＵＣＣＨリソース（７３０１、７３０２、７３０３、７３０４）を含んで構成される。
【０１２６】
１つのＰＵＣＣＨリソースセットが設定され、少なくともＯＡＣＫビットのＨＡＲＱ−ＡＣＫ情報を含むＮＵＣＩビットの上りリンク制御情報が送信される場合、該１つのＰＵＣＣＨリソースセットが選択されてもよい。
【０１２７】
複数のＰＵＣＣＨリソースセットが設定され、少なくともＯＡＣＫビットのＨＡＲＱ−ＡＣＫ情報を含むＮＵＣＩビットの上りリンク制御情報が送信される場合、下記の手順Ｐ１から手順Ｐ４の一部または全部に少なくとも基づき、該複数のＰＵＣＣＨリソースセットから１つのＰＵＣＣＨリソースセットが選択されてもよい。
【０１２８】
手順Ｐ１において、ＮＵＣＩが値Ｎ１以下であり、かつ、１または複数のＳＲ設定における少なくとも１つのＳＲ設定が正のＳＲを示し、該１または複数のＳＲ設定のそれぞれに対応するＰＵＣＣＨリソースがＨＡＲＱ−ＡＣＫ送信のためのＰＵＣＣＨリソースと衝突する場合に、ＰＵＣＣＨリソースセット７０００が選択されてもよい。例えば、Ｎ１は、２であってもよい。また、Ｎ１は、３であってもよい。また、Ｎ１は、該ＨＡＲＱ−ＡＣＫ情報が少なくとも送信されるスロットに設定されるＳＲ設定の数に少なくとも基づき与えられてもよい。また、Ｎ１は、端末装置１に設定されるＳＲ設定の数に少なくとも基づき与えられてもよい。
【０１２９】
スロットにおいて、ＰＵＣＣＨリソースＡとＰＵＣＣＨリソースＢが衝突することは、ＰＵＣＣＨリソースＡがマップされるＯＦＤＭシンボルのうちの少なくとも１つのＯＦＤＭシンボルが、ＰＵＣＣＨリソースＢがマップされるＯＦＤＭシンボルのいずれかと同じであることであってもよい。
【０１３０】
スロットにおいて、ＰＵＣＣＨリソースＡとＰＵＣＣＨリソースＢが衝突することは、ＰＵＣＣＨリソースＡがマップされるＯＦＤＭシンボルのうちの少なくとも１つのＯＦＤＭシンボルのインデックスと、ＰＵＣＣＨリソースＢがマップされるＯＦＤＭシンボルのうちの少なくとも１つのＯＦＤＭシンボルのインデックスが同じであることであってもよい。
【０１３１】
手順Ｐ２において、ＮＵＣＩがＮ１より大きく、Ｎ２以下である場合に、ＰＵＣＣＨリソースセット７１００が選択されてもよい。Ｎ２は、上位層のパラメータに少なくとも基づき与えられてもよい。
【０１３２】
手順Ｐ３において、ＮＵＣＩがＮ２より大きく、Ｎ３以下である場合に、ＰＵＣＣＨリソースセット７２００が選択されてもよい。Ｎ３は、上位層のパラメータに少なくとも基づき与えられてもよい。
【０１３３】
手順Ｐ４において、ＮＵＣＩがＮ３より大きく、Ｎ４以下である場合に、ＰＵＣＣＨリソースセット７３００が選択されてもよい。Ｎ４は、１７０６であってもよい。
【０１３４】
手順Ｐ１におけるＨＡＲＱ−ＡＣＫ情報の送信のためのＰＵＣＣＨリソースは、ＮＵＣＩがＯＡＣＫにセットされることに少なくとも基づき与えられるＰＵＣＣＨリソースセットからＰＵＣＣＨリソース指示フィールドの値に基づき選択されるＰＵＣＣＨリソースであってもよい。
【０１３５】
図８は、本実施形態の一態様に係るトランスポートブロックの受信および該トランスポートブロックに対応するＨＡＲＱ−ＡＣＫ情報の送信の一例を示す図である。ＨＡＲＱ−ＡＣＫ情報に含まれるビット数はＯＡＣＫである。図８において、下りリンクキャリア（DL carrier）１００でＰＤＣＣＨ２００が送信される。ＰＤＣＣＨ２００に含まれるＤＣＩフォーマット２０１は、ＰＤＳＣＨ３００の周波数リソースの割り当て、および／または、時間リソースの割り当てを示す。図８において、上りリンクキャリア（UL carrier）１０１で送信されるＰＵＣＣＨ４００は、ＰＤＳＣＨ３００に含まれるトランスポートブロックに対応するＨＡＲＱ−ＡＣＫビットの送信に少なくとも用いられる。
【０１３６】
ＰＵＣＣＨ４００のＰＵＣＣＨリソースは、１または複数のＰＵＣＣＨリソースセットから選択される１つのＰＵＣＣＨリソースセット、および、ＤＣＩフォーマット２０１に含まれるＰＵＣＣＨリソース指示フィールドの値に少なくとも基づき与えられる。該１つのＰＵＣＣＨリソースセットは、ＮＵＣＩがＯＡＣＫにセットされることに少なくとも基づき与えられてもよい。該ＰＵＣＣＨリソースは、該１つのＰＵＣＣＨリソースセットに含まれる１または複数のＰＵＣＣＨリソースであって、該ＰＵＣＣＨリソース指示フィールドの値に対応するＰＵＣＣＨリソースであってもよい。ＰＵＣＣＨリソースは、要素Ｅ１からＥ６の一部または全部に少なくとも基づき特定される。
Ｅ１）ＰＵＣＣＨリソースのＰＵＣＣＨフォーマットのインデックス
Ｅ２）ＰＵＣＣＨリソースの先頭のＯＦＤＭシンボルのインデックス
Ｅ３）ＰＵＣＣＨリソースのＯＦＤＭシンボルの数
Ｅ４）ＰＵＣＣＨリソースの先頭のリソースブロックのインデックス
Ｅ５）ＰＵＣＣＨリソースのリソースブロックの数
Ｅ６）ＰＵＣＣＨリソースのインデックス
【０１３７】
ＰＵＣＣＨフォーマットのインデックスは、ＰＵＣＣＨフォーマット０からＰＵＣＣＨフォーマット４のいずれかを示すために用いられてもよい。
【０１３８】
ＰＵＣＣＨリソースの先頭のＯＦＤＭシンボルのインデックスは、ＰＵＣＣＨがマップされるＯＦＤＭシンボルの先頭のインデックスであってもよい。ＰＵＣＣＨがマップされるＯＦＤＭシンボルの先頭のインデックスは、あるスロットにおいてＰＵＣＣＨがマップされるＯＦＤＭシンボルの先頭のインデックスであってもよい。
【０１３９】
ＰＵＣＣＨフォーマット０、および／または、ＰＵＣＣＨフォーマット２の一方または両方のためのＰＵＣＣＨのＯＦＤＭシンボルの先頭のインデックスは、上位層のパラメー
タＰＵＣＣＨ−Ｆ０−Ｆ２−ｓｔａｒｔｉｎｇ−ｓｙｍｂｏｌに少なくとも基づき与えられてもよい。ＰＵＣＣＨフォーマット１、ＰＵＣＣＨフォーマット３、および／または、ＰＵＣＣＨフォーマット４の一部または全部のためのＰＵＣＣＨのＯＦＤＭシンボルの先頭のインデックスは、上位層のパラメータＰＵＣＣＨ−Ｆ１−Ｆ３−Ｆ４−ｓｔａｒｔｉｎｇ−ｓｙｍｂｏｌに少なくとも基づき与えられてもよい。
【０１４０】
ＰＵＣＣＨフォーマット０、および／または、ＰＵＣＣＨフォーマット２の一方または両方のためのＰＵＣＣＨリソースのＯＦＤＭシンボルの数は、上位層のパラメータＰＵＣＣＨ−Ｆ０−Ｆ２−ｎｕｍｂｅｒ−ｏｆ−ｓｙｍｂｏｌｓに少なくとも基づき与えられてもよい。上位層のパラメータＰＵＣＣＨ−Ｆ０−Ｆ２−ｎｕｍｂｅｒ−ｏｆ−ｓｙｍｂｏｌｓは、１または２を示してもよい。ＰＵＣＣＨフォーマット１、ＰＵＣＣＨフォーマット３、および／または、ＰＵＣＣＨフォーマット４の一部または全部のためのＰＵＣＣＨリソースのＯＦＤＭシンボル数は、上位層のパラメータＰＵＣＣＨ−Ｆ１−Ｆ３−Ｆ４−ｎｕｍｂｅｒ−ｏｆ−ｓｙｍｂｏｌｓに少なくとも基づき与えられてもよい。上位層のパラメータＰＵＣＣＨ−Ｆ１−Ｆ３−Ｆ４−ｎｕｍｂｅｒ−ｏｆ−ｓｙｍｂｏｌｓは、４から１４のいずれかを示してもよい。
【０１４１】
ＰＵＣＣＨのリソースブロックの数は、ＰＵＣＣＨがマップされるリソースブロックの数であってもよい。ＰＵＣＣＨのリソースブロックの数は、ＰＵＣＣＨのリソースブロックの最大数を示してもよい。ＰＵＣＣＨのリソースブロックの最大数は、ＰＵＣＣＨがマップされるリソースブロックの最大数であってもよい。
【０１４２】
ＰＵＣＣＨフォーマット２のリソースブロックの数は、上位層のパラメータＰＵＣＣＨ−Ｆ２−ｎｕｍｂｅｒ−ｏｆ−ＰＲＢｓに少なくとも基づき与えられてもよい。ＰＵＣＣＨフォーマット３のリソースブロックの数は、上位層のパラメータＰＵＣＣＨ−Ｆ３−ｎｕｍｂｅｒ−ｏｆ−ＰＲＢｓに少なくとも基づき与えられてもよい。
【０１４３】
図９は、本実施形態の一態様に係るトランスポートブロックの受信および該トランスポートブロックに対応するＨＡＲＱ−ＡＣＫ情報、および、ＳＲの送信の一例を示す図である。ＨＡＲＱ−ＡＣＫ情報に含まれるビット数はＯＡＣＫである。図９において、下りリンクキャリア（DL carrier）１００でＰＤＣＣＨ２００が送信される。ＰＤＣＣＨ２００に含まれるＤＣＩフォーマット２０１は、ＰＤＳＣＨ３００の周波数リソースの割り当て、および／または、時間リソースの割り当てを示す。図９において、上りリンクキャリア（UL carrier）１０１で送信されるＰＵＣＣＨ４００ａは、ＰＤＳＣＨ３００に含まれるトランスポートブロックに対応するＨＡＲＱ−ＡＣＫビットの送信に少なくとも用いられる。ＰＵＣＣＨ４０１、および、ＰＵＣＣＨ４０２は、それぞれ１つのＳＲ設定に対応するＰＵＣＣＨリソースである。
【０１４４】
ＰＵＣＣＨ４００ａのＰＵＣＣＨリソースは、１または複数のＰＵＣＣＨリソースセットから選択される１つのＰＵＣＣＨリソースセット、および、ＤＣＩフォーマット２０１に含まれるＰＵＣＣＨリソース指示フィールドの値に少なくとも基づき与えられる。該１つのＰＵＣＣＨリソースセットは、ＮＵＣＩがＯＡＣＫにセットされることに少なくとも基づき与えられてもよい。該１つのＰＵＣＣＨリソースセットは、ＮＵＣＩがＯＡＣＫ＋ＯＳＲにセットされることに少なくとも基づき与えられてもよい。該ＰＵＣＣＨリソースは、該１つのＰＵＣＣＨリソースセットに含まれる１または複数のＰＵＣＣＨリソースであって、該ＰＵＣＣＨリソース指示フィールドの値に対応するＰＵＣＣＨリソースであってもよい。
【０１４５】
ＯＳＲは、ＳＲ設定の数Ｋに少なくとも基づき与えられてもよい。ＳＲ設定の数Ｋは、ＰＵＣＣＨ４００ａが送信されるスロットにおいて設定されるＰＵＣＣＨリソースに対応
するＳＲ設定の数であってもよい。ＳＲ設定の数Ｋは、ＰＵＣＣＨ４００ａと衝突するＰＵＣＣＨリソースに対応するＳＲ設定の数であってもよい。ＳＲ設定の数Ｋは、端末装置１に設定されるＳＲ設定の数であってもよい。
【０１４６】
図１０は、本実施形態の一態様に係るトランスポートブロックの受信および該トランスポートブロックに対応するＨＡＲＱ−ＡＣＫ情報、ＳＲ、および、チャネル状態情報報告の送信の一例を示す図である。ＨＡＲＱ−ＡＣＫ情報に含まれるビット数はＯＡＣＫである。図１０において、下りリンクキャリア（DL carrier）１００でＰＤＣＣＨ２００が送信される。ＰＤＣＣＨ２００に含まれるＤＣＩフォーマット２０１は、ＰＤＳＣＨ３００の周波数リソースの割り当て、および／または、時間リソースの割り当てを示す。図１０において、上りリンクキャリア（UL carrier）１０１で送信されるＰＵＣＣＨ４００ｂは、ＰＤＳＣＨ３００に含まれるトランスポートブロックに対応するＨＡＲＱ−ＡＣＫビットの送信に少なくとも用いられる。ＰＵＣＣＨ４０１は、１つのＳＲ設定に対応するＰＵＣＣＨリソースである。ＰＵＣＣＨ４０３は、ＯＣＳＩビットのチャネル状態情報報告のために設定されるＰＵＣＣＨリソースである。
【０１４７】
ＰＵＣＣＨ４００ｂのＰＵＣＣＨリソースは、１または複数のＰＵＣＣＨリソースセットから選択される１つのＰＵＣＣＨリソースセット、および、ＤＣＩフォーマット２０１に含まれるＰＵＣＣＨリソース指示フィールドの値に少なくとも基づき与えられる。該１つのＰＵＣＣＨリソースセットは、ＮＵＣＩがＯＡＣＫ＋ＯＳＲ＋ＯＣＳＩにセットされることに少なくとも基づき与えられてもよい。該ＰＵＣＣＨリソースは、該１つのＰＵＣＣＨリソースセットに含まれる１または複数のＰＵＣＣＨリソースであって、該ＰＵＣＣＨリソース指示フィールドの値に対応するＰＵＣＣＨリソースであってもよい。
【０１４８】
ＰＵＣＣＨ４０３は、１つのチャネル状態情報報告（CSI report）のインデックスに対して設定されてもよい。ＰＵＣＣＨ４０３は、複数のチャネル状態情報報告のインデックスに対して設定されてもよい。
【０１４９】
図１１は、本発明の実施形態の一態様に係る複数のチャネル状態情報報告の多重に関する一例である。図１１において、あるスロットにＰＵＣＣＨ４１０、ＰＵＣＣＨ４１１、ＰＵＣＣＨ４１２、および、ＰＵＣＣＨ４１３が設定されている。ここで、ＰＵＣＣＨ４１０、ＰＵＣＣＨ４１１、ＰＵＣＣＨ４１２、および、ＰＵＣＣＨ４１３は、それぞれチャネル状態情報報告４２０、チャネル状態情報報告４２１、チャネル状態情報報告４２２、および、チャネル状態情報報告４２３のために設定されている。チャネル状態情報報告４２０、チャネル状態情報報告４２１、チャネル状態情報報告４２２、および、チャネル状態情報報告４２３のうち、最も優先度が高い１または２つのチャネル状態情報報告に対して設定されるＰＵＣＣＨが選択されてもよい。２つの最も優先度が高いチャネル状態情報報告が選択される場合、該２つのチャネル状態情報報告のそれぞれに対応する２つのＰＵＣＣＨのうち、いずれか一方は少なくともＰＵＣＣＨフォーマット２である。また、２つの最も優先度が高いチャネル状態情報報告が選択される場合、該２つのチャネル状態情報報告のそれぞれに対応する２つのＰＵＣＣＨは衝突しない。
【０１５０】
あるスロットにおいて、複数のチャネル状態情報報告のインデックスに対応する複数のＰＵＣＣＨリソースが設定される場合、該複数のチャネル状態情報報告のそれぞれに対する優先度に少なくとも基づき、１つ、または、２つのＰＵＣＣＨリソースが選択されてもよい。２つのＰＵＣＣＨリソースが選択される場合、該２つのＰＵＣＣＨリソースのいずれか一方は、ＰＵＣＣＨフォーマット２である。また、２つのＰＵＣＣＨリソースが選択される場合、該２つのＰＵＣＣＨリソースは衝突しない。
【０１５１】
また、チャネル状態情報報告４２０、チャネル状態情報報告４２１、チャネル状態情報
報告４２２、および、チャネル状態情報報告４２３は、ＰＵＣＣＨ４０３に多重されてもよい。
【０１５２】
あるスロットにおいて、複数のチャネル状態情報報告のインデックスに対応する複数のＰＵＣＣＨリソースが設定され、かつ、該複数のＰＵＣＣＨリソースのうちの任意の２つのＰＵＣＣＨリソースが少なくとも衝突している場合、該複数のチャネル状態情報報告はＰＵＣＣＨ４０３に多重されてもよい。あるスロットにおいて、複数のチャネル状態情報報告のインデックスに対応する複数のＰＵＣＣＨリソースが設定されている場合、該複数のチャネル状態情報報告はＰＵＣＣＨ４０３に多重されてもよい。該複数のチャネル状態情報報告がＰＵＣＣＨ４０３に多重されるか否かは、上位層のパラメータＭｕｌｔｉ−ＣＳＩ−ＰＵＣＣＨ−ＲｅｓｏｕｒｃｅＬｉｓｔに少なくとも基づき与えられてもよい。上位層のパラメータＭｕｌｔｉ−ＣＳＩ−ＰＵＣＣＨ−ＲｅｓｏｕｒｃｅＬｉｓｔは、１つまたは２つのＰＵＣＣＨリソースを含んでもよい。該複数のチャネル状態情報報告がＰＵＣＣＨ４０３に多重される場合、ＰＵＣＣＨ４０３のＰＵＣＣＨリソースは上位層のパラメータＭｕｌｔｉ−ＣＳＩ−ＰＵＣＣＨ−ＲｅｓｏｕｒｃｅＬｉｓｔに含まれるＰＵＣＣＨリソースより与えられてもよい。
【０１５３】
図１２は、本実施形態の一態様に係る上位層のパラメータＭｕｌｔｉ−ＣＳＩ−ＰＵＣＣＨ−ＲｅｓｏｕｒｃｅＬｉｓｔに含まれるＰＵＣＣＨリソースの設定例を示す図である。図１２において、ＰＵＣＣＨリソースセット１２０００は、ＰＵＣＣＨリソース１２００１、および、ＰＵＣＣＨリソース１２００２を含んで構成される。ＰＵＣＣＨリソース１２００１、および、ＰＵＣＣＨリソース１２００２は、上位層のパラメータＭｕｌｔｉ−ＣＳＩ−ＰＵＣＣＨ−ＲｅｓｏｕｒｃｅＬｉｓｔにより設定される。
【０１５４】
Ｎｔｏｔａｌ個のチャネル状態情報報告のビット数ＯＣＳＩが数式（１）を満たす場合、ＰＵＣＣＨ４０３のＰＵＣＣＨリソースとしてＰＵＣＣＨリソース１２００１が与えられてもよい。ＯＣＳＩは、数式（２）に基づき与えられてもよい。つまり、ＰＵＣＣＨ４０３のＰＵＣＣＨリソースは、ＯＣＳＩ、ＯＣＲＣ、ＭＰＵＣＣＨＲＢ０、ＮＲＢｓｃ，ｃｔｒｌ、ＮＰＵＣＣＨｓｙｍｂ−ＵＣＩ０、Ｑｍ、および、ｒの一部または全部に少なくとも基づき与えられてもよい。Ｎｔｏｔａｌ個のチャネル状態情報報告は、Ｎ個のチャネル状態情報報告とも呼称される。
【数１】
2020005175.tif 000003
【数２】
2020005175.tif 000004
【０１５５】
Ｎｔｏｔａｌ個のチャネル状態情報報告は、あるスロットにおいてＰＵＣＣＨで報告することが設定されるチャネル状態情報報告の数であってもよい。
【０１５６】
ＯＣＲＣは、ＯＣＳＩに対応するＣＲＣビットの数であってもよい。ＯＣＳＩに対応す
るＣＲＣビットの数は、ＯＣＳＩビットの上りリンク制御情報が送信されることを仮定した場合に与えられるＣＲＣビットの数であってもよい。つまり、所定のビット数に対応するＣＲＣビットの数は、該所定のビット数の上りリンク制御情報が送信されることを仮定した場合に与えられるＣＲＣビットの数であってもよい。また、ＭＰＵＣＣＨＲＢ０は、ＰＵＣＣＨリソース１２００１のリソースブロックの数であってもよい。また、ＰＵＣＣＨ４０３がＰＵＣＣＨフォーマット２である場合に、ＮＲＢｓｃ，ｃｔｒｌは、ＮＲＢｓｃ−４であってもよい。また、ＰＵＣＣＨ４０３がＰＵＣＣＨフォーマット３、または、ＰＵＣＣＨフォーマット４である場合に、ＮＲＢｓｃ，ｃｔｒｌは、ＮＲＢｓｃであってもよい。また、ＮＲＢｓｃ，ｃｔｒｌは、ＰＵＣＣＨフォーマットにおいて１つのＯＦＤＭシンボルあたりに用いられる上りリンク制御情報のためのリソースエレメントの数に対応してもよい。また、ＰＵＣＣＨリソース１２００１がＰＵＣＣＨフォーマット２である場合に、ＮＰＵＣＣＨｓｙｍｂ−ＵＣＩ０は、ＰＵＣＣＨリソース１２００１のＯＦＤＭシンボルの数であってもよい。また、ＰＵＣＣＨリソース１２００１がＰＵＣＣＨフォーマット３、または、ＰＵＣＣＨフォーマット４である場合に、ＮＰＵＣＣＨｓｙｍｂ−ＵＣＩ０は、ＰＵＣＣＨリソース１２００１のＯＦＤＭシンボルの数からＰＵＣＣＨリソース１２００１に関連するＤＭＲＳのために用いられるＯＦＤＭシンボルの数を引いた値であってもよい。Ｑｍは、ＰＵＣＣＨ４０３に用いられる変調方式の変調次数に対応してもよい。例えば、ＱＰＳＫ変調方式の変調次数は２である。ｒは、上位層のパラメータにより与えられる符号化率に対応する値であってもよい。ＯＣＳＩ，ｎは、ｎ番目のチャネル状態情報報告のビット数であってもよい。ＯＣＳＩ，ｎは、Ｎｔｏｔａｌ個のチャネル状態情報報告におけるｎ番目に優先度の高いチャネル状態情報報告のビット数であってもよい。ｎ番目のチャネル状態情報報告がＣＳＩパート１およびＣＳＩパート２を含む場合、ＯＣＳＩ，ｎ＝ＯＣＳＩ１，ｎ＋ＯＣＳＩ２，ｎで与えられてもよい。ここで、ＯＣＳＩ１，ｎは、ｎ番目のチャネル状態情報報告に含まれるＣＳＩパート１のビット数である。また、ＯＣＳＩ２，ｎは、ｎ番目のチャネル状態情報報告に含まれるＣＳＩパート２のビット数である。
【０１５７】
ｎ番目のチャネル状態情報報告は、Ｎｔｏｔａｌ個のチャネル状態情報報告におけるｎ番目に優先度の高いチャネル状態情報報告を示してもよい。
【０１５８】
Ｎｔｏｔａｌ個のチャネル状態情報報告のビット数ＯＣＳＩが数式（１）を満たさないことは、Ｎｔｏｔａｌ個のチャネル状態情報報告のビット数ＯＣＳＩが数式（３）を満たすことであってもよい。
【数３】
2020005175.tif 000005
【０１５９】
Ｎｔｏｔａｌ個のチャネル状態情報報告のビット数ＯＣＳＩが数式（１）を満たさない、かつ、数式（４）を満たす場合、ＰＵＣＣＨ４０３のＰＵＣＣＨリソースとしてＰＵＣＣＨリソース１２００２が与えられてもよい。つまり、ＰＵＣＣＨ４０３のＰＵＣＣＨリソースは、ＯＣＳＩ、ＯＣＲＣ、ＭＰＵＣＣＨＲＢ１、ＮＲＢｓｃ，ｃｔｒｌ、ＮＰＵＣＣＨｓｙｍｂ−ＵＣＩ１、Ｑｍ、および、ｒの一部または全部に少なくとも基づき与えられてもよい。
【数４】
2020005175.tif 000006
【０１６０】
ここで、ＭＰＵＣＣＨＲＢ１は、ＰＵＣＣＨリソース１２００２のリソースブロックの数であってもよい。また、ＰＵＣＣＨリソース１２００２がＰＵＣＣＨフォーマット２である場合に、ＮＰＵＣＣＨｓｙｍｂ−ＵＣＩ１は、ＰＵＣＣＨリソース１２００２のＯＦＤＭシンボルの数であってもよい。また、ＰＵＣＣＨリソース１２００２がＰＵＣＣＨフォーマット３、または、ＰＵＣＣＨフォーマット４である場合に、ＮＰＵＣＣＨｓｙｍｂ−ＵＣＩ１は、ＰＵＣＣＨリソース１２００２のＯＦＤＭシンボルの数からＰＵＣＣＨリソース１２００２に関連するＤＭＲＳのために用いられるＯＦＤＭシンボルの数を引いた値であってもよい。
【０１６１】
Ｎｔｏｔａｌ個のチャネル状態情報報告のビット数ＯＣＳＩが数式（１）を満たさない、かつ、数式（４）を満たさない場合、ＰＵＣＣＨ４０３のＰＵＣＣＨリソースとしてＰＵＣＣＨリソース１２００２が与えられてもよい。
【０１６２】
Ｎｔｏｔａｌ個のチャネル状態情報報告のビット数ＯＣＳＩが数式（１）を満たさない、かつ、数式（４）を満たさない場合、Ｎｔｏｔａｌ個のチャネル状態情報報告における最も優先度が高いＮｓｅｌｅｃｔｅｄＣＳＩ個のチャネル状態情報報告がＰＵＣＣＨ４０３に多重されてもよい。
【０１６３】
ＮｓｅｌｅｃｔｅｄＣＳＩは、数式（５）、および、数式（６）に少なくとも基づき与えられてもよい。つまり、ＮｓｅｌｅｃｔｅｄＣＳＩは、ＯＣＳＩ，Ｎ、ＯＣＲＣ，Ｎ、ＭＰＵＣＣＨＲＢ１、ＮＲＢｓｃ，ｃｔｒｌ、ＮＰＵＣＣＨｓｙｍｂ−ＵＣＩ１、Ｑｍ、ｒ、ＯＣＳＩ，Ｎ＋１、および、ＯＣＲＣ，Ｎ＋１の一部または全部に少なくとも基づき与えられてもよい。
【数５】
2020005175.tif 000007
【数６】
2020005175.tif 000008
【０１６４】
ＯＣＳＩ，Ｎは、Ｎｔｏｔａｌ個のチャネル状態情報報告における最も優先度が高いＮｓｅｌｅｃｔｅｄＣＳＩ個のチャネル状態情報報告のビット数であってもよい。また、ＯＣＳＩ，Ｎは、数式（７）に少なくとも基づき与えられてもよい。
【数７】
2020005175.tif 000009
【０１６５】
ここで、ＯＣＳＩ，Ｎは、ＰＵＣＣＨ４０３に多重されるＮｓｅｌｅｃｔｅｄＣＳＩ個のチャネル状態情報報告のビット数であってもよい。また、ＯＣＳＩ，Ｎは、Ｎｓｅｌｅ
ｃｔｅｄＣＳＩ個のチャネル状態情報報告のそれぞれにセットされるランク指標の値に少なくとも基づき与えられてもよい。また、ＯＣＲＣ，Ｎは、ＯＣＳＩ，Ｎに対応するＣＲＣビット数であってもよい。また、ＯＣＳＩ，Ｎ＋１は、Ｎｔｏｔａｌ個のチャネル状態情報報告における最も優先度が高いＮｓｅｌｅｃｔｅｄＣＳＩ＋１個のチャネル状態情報報告のビット数であってもよい。また、ＯＣＳＩ，Ｎ＋１は、数式（８）に少なくとも基づき与えられてもよい。
【数８】
2020005175.tif 000010
【０１６６】
ここで、ＯＣＲＣ，Ｎ＋１は、ＯＣＳＩ，Ｎ＋１に対応するＣＲＣビット数であってもよい。
【０１６７】
Ｎｔｏｔａｌ個のチャネル状態情報報告の少なくともいずれか１つのチャネル状態情報報告がＣＳＩパート１、および、ＣＳＩパート２を含む場合、ｎ番目のチャネル状態情報報告のビット数ＯＣＳＩ，ｎは基地局装置３において未知であるため、端末装置１によって選択される値ＮｓｅｌｅｃｔｅｄＣＳＩがわからず、基地局装置３においてＯＣＳＩ，Ｎをブラインドで検出する必要がある。
【０１６８】
例えば、Ｎｔｏｔａｌ個のチャネル状態情報報告の少なくとも１つのチャネル状態情報報告にＣＳＩパート２が少なくとも含まれる場合、ＮｓｅｌｅｃｔｅｄＣＳＩは、該少なくとも１つのチャネル状態情報報告のランク指標が所定の値にセットされることが想定されることに基づき与えられてもよい。また、Ｎｔｏｔａｌ個のチャネル状態情報報告のうちのｎ番目のチャネル状態情報報告のランク指標が所定の値にセットされることが想定されることに基づき、ＮｓｅｌｅｃｔｅｄＣＳＩが与えられてもよい。
【０１６９】
チャネル状態情報報告のランク指標が所定の値にセットされることは、チャネル状態情報報告のランク指標が１にセットされることであってもよい。チャネル状態情報報告のランク指標が所定の値にセットされることは、チャネル状態情報報告のランク指標が最大値にセットされることであってもよい。該最大値は、該チャネル状態情報報告に関連する上位層のパラメータＲａｎｋＲｅｓｔｒｉｃｔｉｏｎに少なくとも基づき許可されるランク指標のセットの最大値であってもよい。
【０１７０】
例えば、Ｎｔｏｔａｌ個のチャネル状態情報報告の少なくとも１つのチャネル状態情報報告にＣＳＩパート２が少なくとも含まれる場合、値ＮｓｅｌｅｃｔｅｄＣＳＩは、数式（５）、数式（６）、数式（９）、および、数式（１０）の一部または全部に少なくとも基づき与えられてもよい。つまり、ＮｓｅｌｅｃｔｅｄＣＳＩは、ＯＣＳＩ，Ｎ＿ｒｅｆ、ＯＣＲＣ，Ｎ、ＭＰＵＣＣＨＲＢ１、ＮＲＢｓｃ，ｃｔｒｌ、ＮＰＵＣＣＨｓｙｍｂ−ＵＣＩ１、Ｑｍ、ｒ、ＯＣＳＩ，Ｎ＋１、ＯＣＲＣ，Ｎ＋１＿ｒｅｆ、および、ＯＣＳＩ２，ｎ，ｒｅｆの一部または全部に少なくとも基づき与えられてもよい。
【数９】
2020005175.tif 000011
【数１０】
2020005175.tif 000012
【０１７１】
ここで、ＯＣＳＩ，Ｎ＿ｒｅｆは、ＮｓｅｌｅｃｔｅｄＣＳＩ個のチャネル状態情報報告のそれぞれのランク指標がそれぞれの所定の値にセットされることが想定されることに基づき与えられる該ＮｓｅｌｅｃｔｅｄＣＳＩ個のチャネル状態情報報告のビット数であってもよい。また、ＯＣＳＩ，Ｎ＋１＿ｒｅｆは、ＮｓｅｌｅｃｔｅｄＣＳＩ＋１個のチャネル状態情報報告のそれぞれのランク指標がそれぞれの所定の値にセットされることが想定されることに基づき与えられる該ＮｓｅｌｅｃｔｅｄＣＳＩ＋１個のチャネル状態情報報告のビット数であってもよい。また、ＯＣＳＩ２，ｎ，ｒｅｆは、ｎ番目のチャネル状態情報報告のランク指標が所定の値にセットされることが想定されることに少なくとも基づき与えられる、該ｎ番目のチャネル状態情報報告のＣＳＩパート２のビット数である。
【０１７２】
ＰＵＣＣＨ４００ｂのＰＵＣＣＨリソースは、１または複数のＰＵＣＣＨリソースセットから選択される１つのＰＵＣＣＨリソースセット、および、ＤＣＩフォーマット２０１に含まれるＰＵＣＣＨリソース指示フィールドの値に少なくとも基づき与えられる。該１つのＰＵＣＣＨリソースセットは、ＮＵＣＩがＯＡＣＫ＋ＯＳＲ＋ＯＣＳＩ，ｒｅｆ＿ｒａｎｋ１にセットされることに少なくとも基づき与えられてもよい。該ＰＵＣＣＨリソースは、該１つのＰＵＣＣＨリソースセットに含まれる１または複数のＰＵＣＣＨリソースであって、該ＰＵＣＣＨリソース指示フィールドの値に対応するＰＵＣＣＨリソースであってもよい。
【０１７３】
ＯＣＳＩ，ｒｅｆ＿ｒａｎｋ１は、ＰＵＣＣＨ４０３に多重されるＮｓｅｌｅｃｔｅｄＣＳＩ個のチャネル状態情報報告のそれぞれのランク指標が１にセットされることが想定されることに基づき与えられる、該ＮｓｅｌｅｃｔｅｄＣＳＩ個のチャネル状態情報報告のビット数であってもよい。
【０１７４】
値ＮｓｅｌｅｃｔｅｄＣＳＩが、Ｎｔｏｔａｌ個のチャネル状態情報報告のビット数ＯＣＳＩに基づき与えられる場合、基地局装置３は値ＮｓｅｌｅｃｔｅｄＣＳＩが未知の状態でＰＵＣＣＨ４０３の復号を行う必要があるかもしれない。
【０１７５】
例えば、ＯＣＳＩ，ｒｅｆ＿ｒａｎｋ１は、Ｎｔｏｔａｌ個のチャネル状態情報報告のそれぞれのランク指標が１にセットされることが想定されることに基づき与えられる、該
Ｎｔｏｔａｌ個のチャネル状態情報報告のビット数であってもよい。
【０１７６】
ＯＣＳＩ，ｒｅｆ＿ｒａｎｋ１は、数式（１１）、または、数式（１２）に基づき与えられてもよい。つまり、ＯＣＳＩ，ｒｅｆ＿ｒａｎｋ１は、Ｎｔｏｔａｌ、ＯＣＳＩ１，ｎ、ＮｓｅｌｅｃｔｅｄＣＳＩ、および、ＯＣＳＩ２，ｎ，ｒｅｆ＿ｒａｎｋ１の一部または全部に少なくとも基づき与えられてもよい。
【数１１】
2020005175.tif 000013
【数１２】
2020005175.tif 000014
【０１７７】
ここで、ＯＣＳＩ２，ｎ，ｒｅｆ＿ｒａｎｋ１は、ｎ番目のチャネル状態情報報告に含まれるＣＳＩパート２であって、該ｎ番目のチャネル状態情報報告のランク指標が１にセットされることが想定されることに基づき与えられる、該ｎ番目のチャネル状態情報報告に含まれるＣＳＩパート２のビット数である。
【０１７８】
Ｎｔｏｔａｌ個のチャネル状態情報報告のビット数ＯＣＳＩが数式（１）を満たさない、かつ、数式（４）を満たさない場合、Ｎｔｏｔａｌ個のチャネル状態情報報告における最も優先度が高いＮｓｅｌｅｃｔｅｄＣＳＩ―ｐａｒｔ２個のチャネル状態情報報告がＰＵＣＣＨ４０３に多重されてもよい。
【０１７９】
ＮｓｅｌｅｃｔｅｄＣＳＩ―ｐａｒｔ２は、数式（１３）、および、数式（１４）に基づき与えられてもよい。ＮｓｅｌｅｃｔｅｄＣＳＩ−ｐａｒｔ２は、ＯＣＳＩ−ｐａｒｔ２，Ｎ、ＯＣＲＣ，ＣＳＩ−ｐａｒｔ２，Ｎ、ＭＰＵＣＣＨＲＢ１、ＮＲＢｓｃ，ｃｔｒｌ、ＮＰＵＣＣＨｓｙｍｂ−ＵＣＩ１、ＯＣＳＩ−ｐａｒｔ１，ｎ、ＯＣＲＣ，ＣＳＩ−ｐａｒｔ１、Ｑｍ、ｒ、ＯＣＳＩ−ｐａｒｔ２，Ｎ＋１、および、ＯＣＲＣ，ＣＳＩ−ｐａｒｔ２，Ｎ＋１の一部または全部に少なくとも基づき与えられてもよい。
【数１３】
2020005175.tif 000015
【数１４】
2020005175.tif 000016
【０１８０】
ここで、ＯＣＳＩ−ｐａｒｔ２，Ｎは、Ｎｔｏｔａｌ個のチャネル状態情報報告における最も優先度が高いＮｓｅｌｅｃｔｅｄＣＳＩ−ｐａｒｔ２個のＣＳＩパート２のビット数であってもよい。また、ＯＣＳＩ−ｐａｒｔ２，Ｎは、数式（１５）に基づき与えられてもよい。
【数１５】
2020005175.tif 000017
【０１８１】
ここで、ＯＣＳＩ−ｐａｒｔ２，Ｎは、ＰＵＣＣＨ４０３に多重されるＮｓｅｌｅｃｔｅｄＣＳＩ−ｐａｒｔ２個のＣＳＩパート２のビット数であってもよい。また、ＯＣＳＩ−ｐａｒｔ２，Ｎは、ＮｓｅｌｅｃｔｅｄＣＳＩ−ｐａｒｔ２個のチャネル状態情報報告のそれぞれにセットされるランク指標の値に少なくとも基づき与えられてもよい。また、ＯＣＳＩ−ｐａｒｔ２，ｎは、ｎ番目のチャネル状態情報報告に含まれるＣＳＩパート２のビット数である。
【０１８２】
また、ＯＣＲＣ，ＣＳＩ−ｐａｒｔ２，Ｎは、ＯＣＳＩ−ｐａｒｔ２，Ｎに対応するＣＲＣビットである。また、ＯＣＳＩーｐａｒｔ１，ｎは、ｎ番目のチャネル状態情報報告に含まれるＣＳＩパート１のビット数である。また、ＯＣＲＣ，ＣＳＩ−ｐａｒｔ１は、Ｎｔｏｔａｌ個のチャネル状態情報報告に含まれるＣＳＩパート１のビット数ＯＣＳＩ−ｐａｒｔ１，Ｎに対応するＣＲＣビット数である。
【０１８３】
また、ＯＣＳＩ−ｐａｒｔ２，Ｎ＋１は、Ｎｔｏｔａｌ個のチャネル状態情報報告における最も優先度が高いＮｓｅｌｅｃｔｅｄＣＳＩ−ｐａｒｔ２＋１個のＣＳＩパート２のビット数であってもよい。また、ＯＣＳＩ−ｐａｒｔ２，Ｎ＋１は、数式（１６）に基づき与えられてもよい。
【数１６】
2020005175.tif 000018
【０１８４】
また、ＯＣＲＣ，ＣＳＩ−ｐａｒｔ２，Ｎ＋１は、ＯＣＳＩ−ｐａｒｔ２，Ｎ＋１に対応するＣＲＣビット数である。
【０１８５】
ｃｅｉｌ（Ａ）は、Ａの天井関数であってもよい。また、ｃｅｉｌ（Ａ）は、Ａを下回らない範囲で最小の整数を与える関数であってもよい。
【０１８６】
ＮｓｅｌｅｃｔｅｄＣＳＩ−ｐａｒｔ２の決定において、ＯＣＳＩ−ｐａｒｔ２，Ｎ＿ｒｅｆは、ｎ番目のチャネル状態情報報告のランク指標が所定の値にセットされることが想定されることに少なくとも基づき与えられてもよい。例えば、ＮｓｅｌｅｃｔｅｄＣＳＩ−ｐａｒｔ２の決定において、ＯＣＳＩ−ｐａｒｔ２，Ｎ＿ｒｅｆは、数式（１７）に基づき与えられてもよい。
【数１７】
2020005175.tif 000019
【０１８７】
また、ＯＣＳＩ−ｐａｒｔ２，Ｎ＿ｒｅｆは、ＮｓｅｌｅｃｔｅｄＣＳＩ−ｐａｒｔ２個のチャネル状態情報報告のそれぞれのランク指標がそれぞれの所定の値にセットされることが想定されることに少なくとも基づき与えられる該ＮｓｅｌｅｃｔｅｄＣＳＩ−ｐａｒｔ２個のチャネル状態情報報告のビット数であってもよい。また、ＮｓｅｌｅｃｔｅｄＣＳＩ−ｐａｒｔ２の決定において、ＯＣＳＩ−ｐａｒｔ２，Ｎ＋１は、ｎ番目のチャネル状態情報報告のランク指標が所定の値にセットされることが想定されることに少なくとも基づき与えられてもよい。例えば、ＮｓｅｌｅｃｔｅｄＣＳＩ−ｐａｒｔ２の決定において、ＯＣＳＩ−ｐａｒｔ２，Ｎ＋１は、数式（１８）に基づき与えられてもよい。
【数１８】
2020005175.tif 000020
【０１８８】
ここで、ＯＣＳＩ−ｐａｒｔ２，Ｎ＋１＿ｒｅｆは、ＮｓｅｌｅｃｔｅｄＣＳＩ−ｐａｒｔ２＋１個のチャネル状態情報報告のそれぞれのランク指標がそれぞれの所定の値にセットされることが想定されることに少なくとも基づき与えられる該ＮｓｅｌｅｃｔｅｄＣＳＩ−ｐａｒｔ２＋１個のチャネル状態情報報告に含まれるＣＳＩパート２のビット数であってもよい。
【０１８９】
ＰＵＣＣＨ４００ｂのＰＵＣＣＨリソースがＰＵＣＣＨフォーマット３、または、ＰＵＣＣＨフォーマット４であり、かつ、数式（１９）を少なくとも満たす場合、Ｎｔｏｔａｌ個のチャネル状態情報報告を少なくとも含む上りリンク制御情報をＰＵＣＣＨ４００ｂに多重してもよい。該ＰＵＣＣＨリソースのリソースブロックの数ＭＰＵＣＣＨ，ＲＢ，ｍｉｎは、数式（２０）、および、数式（２１）を満たしてもよい。つまり、Ｎｔｏｔａｌ個のチャネル状態情報報告を少なくとも含む上りリンク制御情報をＰＵＣＣＨ４００ｂに多重するか否かは、ＯＡＣＫ、ＯＳＲ、ＯＣＳＩ，ｒｅｆ＿ｒａｎｋ１、ＯＣＲＣ，Ｍｍａｘ、ＭＰＵＣＣＨＲＢ、ＮＲＢｓｃ，ｃｔｒｌ、ＮＰＵＣＣＨｓｙｍｂ−ＵＣＩ、Ｑｍ、および、ｒの一部または全部に少なくとも基づき与えられてもよい。また、該ＰＵＣＣＨリソースのリソースブロックの数ＭＰＵＣＣＨ，ＲＢ，ｍｉｎは、ＯＡＣＫ、ＯＳＲ、ＯＣＳＩ，ｒｅｆ＿ｒａｎｋ１、ＯＣＲＣ，Ｍ、ＮＲＢｓｃ，ｃｔｒｌ、ＮＰＵＣＣＨｓｙｍｂ−ＵＣＩ、Ｑｍ、ｒ、および、ＯＣＲＣ，Ｍ−１の一部または全部に少なくとも基づき与えられてもよい。
【数１９】
2020005175.tif 000021
【数２０】
2020005175.tif 000022
【数２１】
2020005175.tif 000023
【０１９０】
ここで、ＯＣＲＣ，Ｍｍａｘは、ＰＵＣＣＨ４００ｂのＰＵＣＣＨリソースのリソースブロック数ＭＰＵＣＣＨＲＢに対応するＣＲＣビットの数である。該リソースブロックの数ＭＰＵＣＣＨＲＢは、上位層のパラメータに基づき与えられてもよい。ＰＵＣＣＨ４００ｂのＰＵＣＣＨリソースがＰＵＣＣＨフォーマット２である場合に、ＮＰＵＣＣＨｓｙｍｂ−ＵＣＩは、ＰＵＣＣＨ４００ｂのＰＵＣＣＨリソースのＯＦＤＭシンボルの数であ
ってもよい。また、ＰＵＣＣＨ４００ｂのＰＵＣＣＨリソースがＰＵＣＣＨフォーマット３、または、ＰＵＣＣＨフォーマット４である場合に、ＮＰＵＣＣＨｓｙｍｂ−ＵＣＩは、ＰＵＣＣＨ４００ｂのＰＵＣＣＨリソースのＯＦＤＭシンボルの数からＰＵＣＣＨ４００ｂのＰＵＣＣＨリソースに関連するＤＭＲＳのために用いられるＯＦＤＭシンボルの数を引いた値であってもよい。
【０１９１】
ＰＵＣＣＨ４００ｂのＰＵＣＣＨリソースがＰＵＣＣＨフォーマット３、または、ＰＵＣＣＨフォーマット４であり、かつ、数式（１９）を満たさない場合、Ｎｔｏｔａｌ個のチャネル状態情報報告に含まれる１または複数のＣＳＩパート２から、最も優先度が高いＮｓｅｌｅｃｔｅｄＣＳＩ−ｐａｒｔ２個のＣＳＩパート２が与えられてもよい。値ＮｓｅｌｅｃｔｅｄＣＳＩ−ｐａｒｔ２は、数式（２２）、および、数式（２３）を満たしてもよい。ＮｓｅｌｅｃｔｅｄＣＳＩ−ｐａｒｔ２は、ＯＣＳＩ−ｐａｒｔ２，Ｎ、ＯＣＲＣ，ＣＳＩ−ｐａｒｔ２，Ｎ、ＭＰＵＣＣＨＲＢ、ＮＲＢｓｃ，ｃｔｒｌ、ＮＰＵＣＣＨｓｙｍｂ−ＵＣＩ、ＯＡＣＫ、ＯＳＲ、ＯＣＳＩ−ｐａｒｔ１，ｎ、ＯＣＲＣ，ＣＳＩ−ｐａｒｔ１、Ｑｍ、ｒ、ＯＣＳＩ−ｐａｒｔ２，Ｎ＋１、および、ＯＣＲＣ，ＣＳＩ−ｐａｒｔ２，Ｎ＋１の一部または全部に少なくとも基づき与えられてもよい。
【数２２】
2020005175.tif 000024
【数２３】
2020005175.tif 000025
【０１９２】
ここで、ＯＣＳＩ−ｐａｒｔ２，Ｎは、Ｎｔｏｔａｌ個のチャネル状態情報報告における最も優先度が高いＮｓｅｌｅｃｔｅｄＣＳＩ−ｐａｒｔ２個のＣＳＩパート２のビット数であってもよい。また、ＯＣＳＩ−ｐａｒｔ２，Ｎは、数式（２４）に基づき与えられてもよい。
【数２４】
2020005175.tif 000026
【０１９３】
ここで、ＯＣＳＩ−ｐａｒｔ２，ｎは、ＰＵＣＣＨ４００ｂに多重されるＮｓｅｌｅｃｔｅｄＣＳＩ−ｐａｒｔ２個のチャネル状態情報報告に含まれるＣＳＩパート２のビット数であってもよい。また、ＯＣＳＩ−ｐａｒｔ２，ｎは、ＮｓｅｌｅｃｔｅｄＣＳＩ−ｐａｒｔ２個のチャネル状態情報報告のそれぞれにセットされるランク指標の値に少なくとも基づき与えられてもよい。また、ＯＣＳＩ−ｐａｒｔ２，ｎは、ｎ番目のチャネル状態情報報告に含まれるＣＳＩパート２のビット数である。
【０１９４】
また、ＯＣＲＣ，ＣＳＩ−ｐａｒｔ２，Ｎは、ＯＣＳＩ−ｐａｒｔ２，Ｎに対応するＣＲＣビットである。また、ＯＣＳＩ，ｐａｒｔ１，ｎは、ｎ番目のチャネル状態情報報告に含まれるＣＳＩパート１のビット数である。また、ＯＣＲＣ，ＣＳＩ−ｐａｒｔ１は、ＨＡＲＱ−ＡＣＫ情報のビット数ＯＡＣＫ、ＳＲのビット数ＯＳＲ、および、Ｎｔｏｔａｌ個のチャネル状態情報報告に含まれるＣＳＩパート１のビット数ＯＣＳＩ−ｐａｒｔ１，Ｎの合計に対応するＣＲＣビット数である。
【０１９５】
また、ＯＣＳＩ−ｐａｒｔ２，Ｎ＋１は、Ｎｔｏｔａｌ個のチャネル状態情報報告における最も優先度が高いＮｓｅｌｅｃｔｅｄＣＳＩ−ｐａｒｔ２＋１個のＣＳＩパート２のビット数であってもよい。また、ＯＣＳＩ−ｐａｒｔ２，Ｎ＋１は、数式（２５）に基づき与えられてもよい。
【数２５】
2020005175.tif 000027
【０１９６】
また、ＯＣＲＣ，ＣＳＩ−ｐａｒｔ２，Ｎ＋１は、ＯＣＳＩ−ｐａｒｔ２，Ｎ＋１に対応するＣＲＣビット数である。
【０１９７】
ｃｅｉｌ（Ａ）は、Ａの天井関数であってもよい。また、ｃｅｉｌ（Ａ）は、Ａを下回らない範囲で最小の整数を与える関数であってもよい。
【０１９８】
ＮｓｅｌｅｃｔｅｄＣＳＩ−ｐａｒｔ２の決定において、ＯＣＳＩ−ｐａｒｔ２，Ｎ＿ｒｅｆは、ｎ番目のチャネル状態情報報告のランク指標が所定の値にセットされることが想定されることに少なくとも基づき与えられてもよい。例えば、ＮｓｅｌｅｃｔｅｄＣＳＩ−ｐａｒｔ２の決定において、ＯＣＳＩ−ｐａｒｔ２，Ｎ＿ｒｅｆは、数式（２６）に基づき与えられてもよい。
【数２６】
2020005175.tif 000028
【０１９９】
また、ＯＣＳＩ−ｐａｒｔ２，Ｎ＿ｒｅｆは、ＮｓｅｌｅｃｔｅｄＣＳＩ−ｐａｒｔ２個のチャネル状態情報報告のそれぞれのランク指標がそれぞれの所定の値にセットされることが想定されることに少なくとも基づき与えられる該ＮｓｅｌｅｃｔｅｄＣＳＩ−ｐａｒｔ２個のチャネル状態情報報告のビット数であってもよい。また、ＮｓｅｌｅｃｔｅｄＣＳＩ−ｐａｒｔ２の決定において、ＯＣＳＩ−ｐａｒｔ２，Ｎ＋１＿ｒｅｆは、ｎ番目のチャネル状態情報報告のランク指標が所定の値にセットされることが想定されることに少なくとも基づき与えられてもよい。例えば、ＮｓｅｌｅｃｔｅｄＣＳＩ−ｐａｒｔ２の決定において、ＯＣＳＩ−ｐａｒｔ２，Ｎ＋１＿ｒｅｆは、数式（２７）に基づき与えられてもよい。
【数２７】
2020005175.tif 000029
【０２００】
ここで、ＯＣＳＩ−ｐａｒｔ２，Ｎ＋１＿ｒｅｆは、ＮｓｅｌｅｃｔｅｄＣＳＩ−ｐａｒｔ２＋１個のチャネル状態情報報告のそれぞれのランク指標がそれぞれの所定の値にセットされることが想定されることに少なくとも基づき与えられる該ＮｓｅｌｅｃｔｅｄＣＳＩ−ｐａｒｔ２＋１個のチャネル状態情報報告に含まれるＣＳＩパート２のビット数であってもよい。
【０２０１】
図１３は、本実施形態の一態様に係るトランスポートブロックの受信および該トランスポートブロックに対応するＨＡＲＱ−ＡＣＫ情報、ＳＲ、および、チャネル状態情報の送信の一例を示す図である。ＨＡＲＱ−ＡＣＫ情報に含まれるビット数はＯＡＣＫである。下りリンクキャリア（DL carrier）１００において、ＰＤＣＣＨ２００が送信される。ＰＤＣＣＨ２００に含まれるＤＣＩフォーマット２０１は、ＰＤＳＣＨ３００の周波数リソースの割り当て、および／または、時間リソースの割り当てを示す。上りリンクキャリア（UL carrier）１０１において、ＰＵＣＣＨ４００ｃは、ＰＤＳＣＨ３００に含まれるトランスポートブロックに対応するＨＡＲＱ−ＡＣＫ情報の送信に用いられる。ＰＵＣＣＨ４１０は、チャネル状態情報報告４２０のために設定され、ＰＵＣＣＣＨ４１３は、チャネル状態情報報告４２３のために設定されている。ここで、チャネル状態情報報告４２０の優先度がチャネル状態情報報告４２３よりも高いことを仮定する。図１３において、ＰＵＣＣＨ４００ｃとＰＵＣＣＨ４１０が衝突していることを仮定する。また、図１３において、ＰＵＣＣＨ４００ｃとＰＵＣＣＨ４１３が衝突していないことを仮定する。
【０２０２】
ＰＵＣＣＨ４００ｃのＰＵＣＣＨリソースは、１または複数のＰＵＣＣＨリソースセッ
トから選択される１つのＰＵＣＣＨリソースセット、および、ＤＣＩフォーマット２０１に含まれるＰＵＣＣＨリソース指示フィールドの値に少なくとも基づき与えられる。該１つのＰＵＣＣＨリソースセットは、ＮＵＣＩがＯＡＣＫ＋ＯＳＲ＋ＯＣＳＩにセットされることに少なくとも基づき与えられてもよい。該ＰＵＣＣＨリソースは、該１つのＰＵＣＣＨリソースセットに含まれる１または複数のＰＵＣＣＨリソースであって、該ＰＵＣＣＨリソース指示フィールドの値に対応するＰＵＣＣＨリソースであってもよい。
【０２０３】
ＯＡＣＫビットのＨＡＲＱ−ＡＣＫ情報、および、チャネル状態情報報告４２０がＰＵＣＣＨ４００ｃに多重されてもよい。値ＮＵＣＩの決定において、ＯＣＳＩはチャネル状態情報報告４２０のビット数であってもよい。値ＮＵＣＩの決定において、ＯＣＳＩは、チャネル状態情報報告４２０のランク指標が１にセットされることを想定して与えられるチャネル状態情報報告４２０のビット数であってもよい。ＯＡＣＫビットのＨＡＲＱ−ＡＣＫ情報、および、チャネル状態情報報告４２０がＰＵＣＣＨ４００ｃに多重される場合に、チャネル状態情報報告４２３はＰＵＣＣＨ４００ｃに多重されなくてもよい。
【０２０４】
ＯＡＣＫビットのＨＡＲＱ−ＡＣＫ情報、および、チャネル状態情報報告４２０、および、チャネル状態情報報告４２３が、ＰＵＣＣＨ４００ｃに多重されてもよい。値ＮＵＣＩの決定において、ＯＣＳＩはチャネル状態情報報告４２０、および、チャネル状態情報報告４２３のビット数の合計であってもよい。値ＮＵＣＩの決定において、ＯＣＳＩは、チャネル状態情報報告４２０、および、チャネル状態情報報告４２３のそれぞれのランク指標が１にセットされることを想定して与えられるチャネル状態情報報告４２０、および、チャネル状態情報報告４２３のビット数の合計であってもよい。
【０２０５】
チャネル状態情報報告４２３がＰＵＣＣＨ４００ｃに多重されるか否かは、上位層のパラメータＭｕｌｔｉ−ＣＳＩ−ＰＵＣＣＨ−ＲｅｓｏｕｒｃｅＬｉｓｔに少なくとも基づき与えられてもよい。上位層のパラメータＭｕｌｔｉ−ＣＳＩ−ＰＵＣＣＨ−ＲｅｓｏｕｒｃｅＬｉｓｔが設定される場合に、チャネル状態情報報告４２３はＰＵＣＣＨ４００ｃに多重されてもよい。上位層のパラメータＭｕｌｔｉ−ＣＳＩ−ＰＵＣＣＨ−ＲｅｓｏｕｒｃｅＬｉｓｔが設定されない場合に、チャネル状態情報報告４２３はＰＵＣＣＨ４００ｃに多重されなくてもよい。
【０２０６】
図１４は、本実施形態の一態様に係るトランスポートブロックの受信および該トランスポートブロックに対応するＨＡＲＱ−ＡＣＫ情報、ＳＲ、および、チャネル状態情報の送信の一例を示す図である。ＨＡＲＱ−ＡＣＫ情報に含まれるビット数はＯＡＣＫである。下りリンクキャリア（DL carrier）１００において、ＰＤＣＣＨ２００が送信される。ＰＤＣＣＨ２００に含まれるＤＣＩフォーマット２０１は、ＰＤＳＣＨ３００の周波数リソースの割り当て、および／または、時間リソースの割り当てを示す。上りリンクキャリア（UL carrier）１０１において、ＰＵＣＣＨ４００ｄは、ＰＤＳＣＨ３００に含まれるトランスポートブロックに対応するＨＡＲＱ−ＡＣＫ情報の送信に用いられる。ＰＵＣＣＨ４１０は、チャネル状態情報報告４２０のために設定され、ＰＵＣＣＣＨ４１３は、チャネル状態情報報告４２３のために設定されている。ここで、チャネル状態情報報告４２０の優先度がチャネル状態情報報告４２３よりも高いことを仮定する。１３において、ＰＵＣＣＨ４００ｄとＰＵＣＣＨ４１０が衝突していることを仮定する。また、図１３において、ＰＵＣＣＨ４００ｄとＰＵＣＣＨ４１３が衝突していることを仮定する。
【０２０７】
ＰＵＣＣＨ４００ｄのＰＵＣＣＨリソースは、１または複数のＰＵＣＣＨリソースセットから選択される１つのＰＵＣＣＨリソースセット、および、ＤＣＩフォーマット２０１に含まれるＰＵＣＣＨリソース指示フィールドの値に少なくとも基づき与えられる。該１つのＰＵＣＣＨリソースセットは、ＮＵＣＩがＯＡＣＫ＋ＯＳＲ＋ＯＣＳＩにセットされることに少なくとも基づき与えられてもよい。該ＰＵＣＣＨリソースは、該１つのＰＵＣ
ＣＨリソースセットに含まれる１または複数のＰＵＣＣＨリソースであって、該ＰＵＣＣＨリソース指示フィールドの値に対応するＰＵＣＣＨリソースであってもよい。
【０２０８】
ＯＡＣＫビットのＨＡＲＱ−ＡＣＫ情報、および、チャネル状態情報報告４２０がＰＵＣＣＨ４００ｄに多重されてもよい。値ＮＵＣＩの決定において、ＯＣＳＩはチャネル状態情報報告４２０のビット数であってもよい。値ＮＵＣＩの決定において、ＯＣＳＩは、チャネル状態情報報告４２０のランク指標が１にセットされることを想定して与えられるチャネル状態情報報告４２０のビット数であってもよい。ＯＡＣＫビットのＨＡＲＱ−ＡＣＫ情報、および、チャネル状態情報報告４２０がＰＵＣＣＨ４００ｄに多重される場合に、チャネル状態情報報告４２３はＰＵＣＣＨ４００ｄに多重されなくてもよい。
【０２０９】
ＯＡＣＫビットのＨＡＲＱ−ＡＣＫ情報、および、チャネル状態情報報告４２０、および、チャネル状態情報報告４２３が、ＰＵＣＣＨ４００ｃに多重されてもよい。値ＮＵＣＩの決定において、ＯＣＳＩはチャネル状態情報報告４２０、および、チャネル状態情報報告４２３のビット数の合計であってもよい。値ＮＵＣＩの決定において、ＯＣＳＩは、チャネル状態情報報告４２０、および、チャネル状態情報報告４２３のそれぞれのランク指標が１にセットされることを想定して与えられるチャネル状態情報報告４２０、および、チャネル状態情報報告４２３のビット数の合計であってもよい。
【０２１０】
チャネル状態情報報告４２３がＰＵＣＣＨ４００ｄに多重されるか否かは、上位層のパラメータＭｕｌｔｉ−ＣＳＩ−ＰＵＣＣＨ−ＲｅｓｏｕｒｃｅＬｉｓｔに少なくとも基づき与えられてもよい。上位層のパラメータＭｕｌｔｉ−ＣＳＩ−ＰＵＣＣＨ−ＲｅｓｏｕｒｃｅＬｉｓｔが設定される場合に、チャネル状態情報報告４２３はＰＵＣＣＨ４００ｄに多重されてもよい。上位層のパラメータＭｕｌｔｉ−ＣＳＩ−ＰＵＣＣＨ−ＲｅｓｏｕｒｃｅＬｉｓｔが設定されない場合に、チャネル状態情報報告４２３はＰＵＣＣＨ４００ｄに多重されなくてもよい。
【０２１１】
以下、本実施形態の一態様に係る種々の装置の態様を説明する。
【０２１２】
（１）上記の目的を達成するために、本発明の態様は、以下のような手段を講じた。すなわち、本発明の第１の態様は、端末装置であって、メモリと前記メモリに接続されるプロセッサを備え、前記プロセッサは、チャネル状態情報報告のための（チャネル／干渉）測定を行い、Ｎｔｏｔａｌ個のチャネル状態情報報告のうち最も優先度の高いＮｓｅｌｅｃｔｅｄＣＳＩ個のチャネル状態情報報告をＰＵＣＣＨに多重し、あるスロットにおいて前記ＰＵＣＣＨを送信し、前記ＮｓｅｌｅｃｔｅｄＣＳＩ個のチャネル状態情報報告は、前記ＮｓｅｌｅｃｔｅｄＣＳＩ個のチャネル状態情報報告のそれぞれのランク指標が所定の値にセットされることが想定されることに基づき与えられる。
【０２１３】
（２）また、本発明の第１の態様において、前記ＰＵＣＣＨに多重される前記ＮｓｅｌｅｃｔｅｄＣＳＩ個のチャネル状態情報報告の第１のビット数ＯＣＳＩ、Ｎは、前記ＮｓｅｌｅｃｔｅｄＣＳＩ個のチャネル状態情報報告のそれぞれに含まれるランク指標の値に基づいて与えられ、前記ＮｓｅｌｅｃｔｅｄＣＳＩ個のチャネル状態情報報告のそれぞれに含まれるランク指標の値は、前記端末装置によって選択される。
【０２１４】
（３）また、本発明の第１の態様において、前記ＮｓｅｌｅｃｔｅｄＣＳＩ個のチャネル状態情報報告は、第２のビット数ＯＣＳＩ、Ｎ，ｒｅｆに少なくとも基づいて与えられ、前記第２のビット数ＯＣＳＩ、Ｎ，ｒｅｆは、前記ＮｓｅｌｅｃｔｅｄＣＳＩ個のチャネル状態情報報告のそれぞれのランク指標が所定の値にセットされることが想定されることに基づき与えられる。
【０２１５】
（４）また、本発明の第１の態様において、前記ＮｓｅｌｅｃｔｅｄＣＳＩ個のチャネル状態情報報告のそれぞれのランク指標に対する前記所定の値は、前記ＮｓｅｌｅｃｔｅｄＣＳＩ個のチャネル状態情報報告のそれぞれに対して設定される上位層のパラメータＲａｎｋＲｅｓｔｒｉｃｔｉｏｎに基づき許可されるランク指標のセットのうちの最大値である。
【０２１６】
（５）また、本発明の第２の態様は、基地局装置であって、メモリと前記メモリに接続されるプロセッサを備え、前記プロセッサは、チャネル状態情報報告のための（チャネル／干渉）測定を端末装置に指示し、Ｎｔｏｔａｌ個のチャネル状態情報報告のうち最も優先度の高いＮｓｅｌｅｃｔｅｄＣＳＩ個のチャネル状態情報報告が多重されたＰＵＣＣＨを受信し、前記ＮｓｅｌｅｃｔｅｄＣＳＩ個のチャネル状態情報報告は、前記ＮｓｅｌｅｃｔｅｄＣＳＩ個のチャネル状態情報報告のそれぞれのランク指標が所定の値にセットされることが想定されることに基づき与えられる。
【０２１７】
（６）また、本発明の第２の態様において、前記ＰＵＣＣＨに多重される前記ＮｓｅｌｅｃｔｅｄＣＳＩ個のチャネル状態情報報告の第１のビット数ＯＣＳＩ、Ｎは、前記ＮｓｅｌｅｃｔｅｄＣＳＩ個のチャネル状態情報報告のそれぞれに含まれるランク指標の値に基づいて与えられ、前記ＮｓｅｌｅｃｔｅｄＣＳＩ個のチャネル状態情報報告のそれぞれに含まれるランク指標の値は、前記端末装置によって選択される。
【０２１８】
（７）また、本発明の第２の態様において、前記ＮｓｅｌｅｃｔｅｄＣＳＩ個のチャネル状態情報報告は、第２のビット数ＯＣＳＩ、Ｎ，ｒｅｆに少なくとも基づいて与えられ、前記第２のビット数ＯＣＳＩ、Ｎ，ｒｅｆは、前記ＮｓｅｌｅｃｔｅｄＣＳＩ個のチャネル状態情報報告のそれぞれのランク指標が所定の値にセットされることが想定されることに基づき与えられる。
【０２１９】
（８）また、本発明の第２の態様において、前記ＮｓｅｌｅｃｔｅｄＣＳＩ個のチャネル状態情報報告のそれぞれのランク指標に対する前記所定の値は、前記ＮｓｅｌｅｃｔｅｄＣＳＩ個のチャネル状態情報報告のそれぞれに対して設定される上位層のパラメータＲａｎｋＲｅｓｔｒｉｃｔｉｏｎに基づき許可されるランク指標のセットのうちの最大値である。
【０２２０】
本発明に関わる基地局装置３、および端末装置１で動作するプログラムは、本発明に関わる上記実施形態の機能を実現するように、ＣＰＵ（Central Processing Unit）等を制
御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤ
Ｄ（Hard Disk Drive）に格納され、必要に応じてＣＰＵによって読み出し、修正・書き
込みが行われる。
【０２２１】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０２２２】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０２２３】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０２２４】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０２２５】
また、上述した実施形態における基地局装置３は、ＥＵＴＲＡＮ（Evolved Universal Terrestrial Radio Access Network）および／またはＮＧ−ＲＡＮ（NextGen RAN，NR RAN）であってもよい。また、上述した実施形態における基地局装置３は、ｅＮｏｄｅＢお
よび／またはｇＮＢに対する上位ノードの機能の一部または全部を有してもよい。
【０２２６】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０２２７】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０２２８】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０２２９】
１（１Ａ、１Ｂ、１Ｃ）  端末装置
３  基地局装置
１０、３０  無線送受信部
１１、３１  アンテナ部
１２、３２  ＲＦ部
１３、３３  ベースバンド部
１４、３４  上位層処理部
１５、３５  媒体アクセス制御層処理部
１６、３６  無線リソース制御層処理部
２００  ＰＤＣＣＨ
２０１  ＤＣＩフォーマット
３００  ＰＤＳＣＨ
４００、４００ａ、４００ｂ、４００ｃ、４００ｄ、４０１、４０２、４０３、４１０、４１１、４１２、４１３  ＰＵＣＣＨ
７０００、７１０、７２００、７３００、１２０００  ＰＵＣＣＨリソースセット
７００１、７００２、７００３、７００４、７１０１、７１０２、７１０３、７１０４、７２０１、７２０２、７２０３、７２０４、７３０１、７３０２、７３０３、７３０４、１２００１、１２００２  ＰＵＣＣＨリソース
【図１】
2020005175.tif 000030
【図２】
2020005175.tif 000031
【図３】
2020005175.tif 000032
【図４】
2020005175.tif 000033
【図５】
2020005175.tif 000034
【図６】
2020005175.tif 000035
【図７】
2020005175.tif 000036
【図８】
2020005175.tif 000037
【図９】
2020005175.tif 000038
【図１０】
2020005175.tif 000039
【図１１】
2020005175.tif 000040
【図１２】
2020005175.tif 000041
【図１３】
2020005175.tif 000042
【図１４】
2020005175.tif 000043